(57)【特許請求の範囲】
【請求項１】
２以上の対象機器が対応づけられた第１の分岐回路を含む複数の分岐回路を含み、分岐回路単位にて消費電力量を管理する分電盤システムにネットワークを介して接続され、タッチパネル式ディスプレイを有する情報機器において実行されるプログラムであって、
前記情報機器のコンピュータに対し、
前記ネットワークを介して前記分電盤システムから前記分岐回路単位で消費電力量を示す状態情報を取得させる処理と、
前記第１の分岐回路に対応づけられた前記２以上の対象機器の各々に対応する２以上の表示オブジェクトを重ねた状態で前記ディスプレイに表示させつつ、前記重ねられた２以上の表示オブジェクト上に前記第１の分岐回路に対応する消費電力量を示す電力表示を重ねて表示させる処理と、
前記重ねられた２以上の表示オブジェクトにおいて前記重ねられた２以上の表示オブジェクトをタップする操作が検知された場合、前記重ねられた２以上の表示オブジェクトを分離して表示させ、前記分離された２以上の表示オブジェクトの各々に、前記第１の分岐回路に対応づけられた前記２以上の対象機器の各々を表した機器表示を表示させる処理と、
前記ディスプレイにおいて前記分離された２以上の表示オブジェクトのいずれかの表示オブジェクトをタップする操作が検知された場合、前記分離された２以上の表示オブジェクトを重ねて表示させ、前記重ねられた２以上の表示オブシェクトの各々から、前記第１の分岐回路に対応づけられた２以上の対象機器の各々を表した機器表示を消去させる処理、とを実行させる
プログラム。
【請求項２】
前記ディスプレイにおいて前記重ねられた２以上の表示オブジェクトをタップする操作が検知された場合、前記重ねられた２以上の表示オブジェクトを分離して表示させ、前記第１の分岐回路に対応する消費電力量を示す電力表示を消去させる、
請求項１記載のプログラム。
【請求項３】
前記状態情報を用いて、前記第１の分岐回路に対応づけられた２以上の対象機器の中の少なくとも一つの対象機器の電源がオン状態であると判断された場合、前記第１の分岐回路に対応づけられた２以上の対象機器の各々に対応する２以上の表示オブジェクトを重ねた状態の表示は、動いた状態で表示される、
請求項１、２のいずれか１項に記載のプログラム。
【請求項４】
前記状態情報を用いて、前記第１の分岐回路に対応づけられた２以上の対象機器の中の全ての対象機器の電源がオフ状態であると判断された場合、前記第１の分岐回路に対応づけられた２以上の対象機器の各々に対応する２以上の表示オブジェクトを重ねた状態の表示は、停止した状態で表示される、
請求項３記載のプログラム。
【請求項５】
前記状態情報を用いて、前記第１の分岐回路に対応づけられた２以上の対象機器の中の少なくとも一つの対象機器の電源がオン状態であると判断された場合、前記第１の分岐回路に対応づけられた２以上の対象機器の各々に対応する２以上の表示オブジェクトを重ねた状態の表示は、第１色グループに属する色で表示される、
請求項１、２のいずれか１項に記載のプログラム。
【請求項６】
前記状態情報を用いて、前記第１の分岐回路に対応づけられた２以上の対象機器の中の全ての対象機器の電源がオフ状態であると判断された場合、前記第１の分岐回路に対応づけられた２以上の対象機器の各々に対応する２以上の表示オブジェクトを重ねた状態の表示は、前記第１色グループとは異なる第２色グループに属する色で表示される、
請求項５記載のプログラム。
【請求項７】
前記第１の分岐回路に対応づけられた２以上の対象機器の各々に対応する２以上の表示オブジェクトを重ねた状態の表示は、前記第１の分岐回路に対応する消費電力量が多い程大きく、また、前記第１の分岐回路に対応する消費電力量が少ない程小さく表示される、
請求項１−６のいずれか１項に記載のプログラム。
【請求項８】
前記分電盤システムは、２以上の対象機器が対応づけられた第２の分岐回路を含み、
前記第２の分岐回路に対応づけられた２以上の対象機器の各々に対応する２以上の表示オブジェクトを重ねた状態で前記ディスプレイに表示させつつ、前記重ねられた２以上の表示オブジェクト上に前記第２の分岐回路に対応する消費電力量を示す電力表示を重ねて表示させ、
前記第２の分岐回路に対応づけられた２以上の対象機器の各々に対応する２以上の表示オブジェクトを重ねた状態の表示は、前記第２の分岐回路に対応する消費電力量が多い程大きく、また、前記第２の分岐回路に対応する消費電力量が小さい程小さく表示される、
請求項７記載のプログラム。
【請求項９】
前記２以上の表示オブジェクトが重ねられて前記ディスプレイに表示されている場合であって、前記２以上の表示オブジェクトの中の少なくとも一つの表示オブジェクトの一部分のみが前記ディスプレイに表示されている場合、前記一部分の選択が検知されると、前記重ねられた２以上の表示オブジェクトを分離して表示させ、前記分離された２以上の表示オブジェクトの全体が前記ディスプレイに表示される位置まで、前記２以上の表示オブジェクトの全体を移動させる、
請求項１−８のいずれか１項に記載のプログラム。
【請求項１０】
前記分離された２以上の表示オブジェクトを表示させた状態において前記ディスプレイでスクロール操作が検知された場合、前記分離された２以上の表示オブジェクトを重ねて表示させる、
請求項１−９のいずれか１項に記載のプログラム。
【請求項１１】
前記２以上の対象機器の各々を表した機器表示は、前記各対象機器を表した画像である、
請求項１−１０のいずれか１項に記載のプログラム。
【請求項１２】
前記分電盤システムは、外部電力を前記２以上の対象機器に分電する分電盤と、前記２以上の対象機器の消費電力量を前記分岐回路の単位で計測する計測機器とを含む、
請求項１−１１のいずれか１項に記載のプログラム。
【請求項１３】
前記分電盤システムは、外部電力を前記２以上の対象機器に分電し、前記２以上の対象機器の消費電力量を前記分岐回路の単位で計測する分電盤を含む、
請求項１−１１のいずれか１項に記載のプログラム。
【請求項１４】
２以上の対象機器が対応づけられた第１の分岐回路を含む複数の分岐回路を含み、分岐回路単位にて消費電力量を管理する分電盤システムにネットワークを介して接続され、タッチパネル式ディスプレイを有する情報機器の制御方法であって、
前記情報機器のコンピュータに対し、
前記ネットワークを介して前記分電盤システムから前記分岐回路単位で消費電力量を示す状態情報を取得させる処理と、
前記第１の分岐回路に対応づけられた前記２以上の対象機器の各々に対応する２以上の表示オブジェクトを重ねた状態で前記ディスプレイに表示させつつ、前記重ねられた２以上の表示オブジェクト上に前記第１の分岐回路に対応する消費電力量を示す電力表示を重ねて表示させる処理と、
前記重ねられた２以上の表示オブジェクトにおいて前記重ねられた２以上の表示オブジェクトをタップする操作が検知された場合、前記重ねられた２以上の表示オブジェクトを分離して表示させ、前記分離された２以上の表示オブジェクトの各々に、前記第１の分岐回路に対応づけられた前記２以上の対象機器の各々を表した機器表示を表示させる処理と、
前記ディスプレイにおいて前記分離された２以上の表示オブジェクトのいずれかの表示オブジェクトをタップする操作が検知された場合、前記分離された２以上の表示オブジェクトを重ねて表示させ、前記重ねられた２以上の表示オブシェクトの各々から、前記第１の分岐回路に対応づけられた２以上の対象機器の各々を表した機器表示を消去させる処理と、を実行させる、
制御方法。
【請求項１５】
前記ディスプレイにおいて前記分離された２以上の表示オブジェクトのいずれかの表示オブジェクトをタップする操作が検知されなくとも、前記表示オブジェクトの表示領域以外の領域をタップする操作が検知された場合、前記分離された２以上の表示オブジェクトを重ねて表示させ、前記重ねられた２以上の表示オブジェクトの各々から、前記第１の分岐回路に対応づけられた２以上の対象機器の各々を表した機器表示を消去させる、
請求項１、３−９、１１−１３のいずれか１項に記載のプログラム。
【請求項１６】
請求項１−１３、１５のいずれか１項に記載のプログラムを搭載した情報機器。
【発明の詳細な説明】
【技術分野】
【０００１】
本開示は、情報機器の制御方法、プログラム、および情報機器に関する。
【背景技術】
【０００２】
一つのリモートコントローラを用いて一以上の対象機器を遠隔監視する技術が提案されている。
【０００３】
特許文献１は、一以上の対象機器を単一のリモートコントローラで制御する技術を開示する。具体的には、リモートコントローラの液晶モニタには、各部屋の間取りと部屋内の状況が表示されている。例えば、液晶モニタには、ある部屋の照明機器が点灯している場合に表示される照明マーク、ある部屋の現在の温度を示す室温マーク、ある部屋の窓に鍵がかけられている場合に窓にハッチングを施した鍵マーク、制御対象物の状況等を示す機器・設備マーク、制御対象が風呂の場合に湯の量を示したマークなどが表示される（特許文献１の段落［００３７］から［００４１］、及び図６）。
【０００４】
しかし、上記特許文献１では、更なる改善が必要とされていた。
【先行技術文献】
【特許文献】
【０００５】
【特許文献１】特開２０００−１３８９７９号公報
【発明の概要】
【０００６】
上記課題を解決するため、本開示の一態様は、
２以上の対象機器が対応づけられた第１の分岐回路を含む複数の分岐回路を含み、分岐回路単位にて消費電力量を管理する分電盤システムにネットワークを介して接続され、タッチパネル式ディスプレイを有する情報機器の制御方法であって、
前記情報機器のコンピュータに対し、
前記ネットワークを介して前記分電盤システムから前記分岐回路単位で消費電力量を示す状態情報を取得させ、
前記第１の分岐回路に対応づけられた前記２以上の対象機器の各々に対応する２以上の表示オブジェクトを重ねた状態で前記ディスプレイに表示させつつ、前記重ねられた２以上の表示オブジェクト上に前記第１の分岐回路に対応する消費電力量を示す電力表示を重ねて表示させ、
前記重ねられた２以上の表示オブジェクトにおいて前記重ねられた２以上の表示オブジェクトをタップする操作が検知された場合、前記重ねられた２以上の表示オブジェクトを分離して表示させ、前記分離された２以上の表示オブジェクトの各々に、前記第１の分岐回路に対応づけられた前記２以上の対象機器の各々を表した機器表示を表示させ、
前記ディスプレイにおいて前記分離された２以上の表示オブジェクトのいずれかの表示オブジェクトをタップする操作が検知された場合、前記分離された２以上の表示オブジェクトを重ねて表示させ、前記重ねられた２以上の表示オブシェクトの各々から、前記第１の分岐回路に対応づけられた２以上の対象機器の各々を表した機器表示を消去させるものである。
【０００７】
上記態様により、更なる改善を実現できる。
【図面の簡単な説明】
【０００８】
【図１】本実施の形態における情報機器が適用されたホームコントロールシステムの全体構成を概略的に示すブロック図である。
【図２】図１のホームコントロールシステムにおいて、電力管理システムと機器との接続状態をより詳細に示すブロック図である。
【図３】情報機器、サーバ、及び管理装置の構成を概略的に示すブロック図である。
【図４】情報機器の実装形態の構成例を示すブロック図である。
【図５】情報機器のディスプレイに表示される基本画面の一例を概略的に示す図である。
【図６】情報機器のディスプレイに表示される分離画面の一例を概略的に示す図である。
【図７】情報機器のディスプレイの表示画面における画面遷移の一例を概略的に示す図である。
【図８】情報機器のディスプレイの表示画面における画面遷移の別の例を概略的に示す図である。
【図９】情報機器のディスプレイの表示画面における画面遷移のさらに別の例を概略的に示す図である。
【図１０】情報機器のディスプレイに表示される基本画面の別の例を概略的に示す図である。
【図１１】情報機器のディスプレイに表示される基本画面のさらに別の例を概略的に示す図である。
【図１２】情報機器のディスプレイに表示される基本画面のさらに別の例を概略的に示す図である。
【図１３】情報機器のディスプレイに表示される設定画面の一例を概略的に示す図である。
【図１４】情報機器のディスプレイに表示される設定画面の別の例を概略的に示す図である。
【図１５】サーバの蓄積部に保存されている分岐回路リストの構成の一例を概略的に示す図である。
【図１６】サーバの蓄積部に保存されている機器リストの構成の一例を概略的に示す図である。
【図１７】サーバの蓄積部に保存されている情報機器リストの構成の一例を概略的に示す図である。
【図１８】サーバの蓄積部に保存されている消費電力量情報の構成の一例を概略的に示す図である。
【図１９】サーバの蓄積部に保存されている消費電力量情報の構成の一例を概略的に示す図である。
【図２０】サーバの蓄積部に保存されている機器状態情報の構成の一例を概略的に示す図である。
【図２１】情報機器の蓄積部に保存されている表示制御情報の構成の一例を概略的に示す図である。
【図２２】ホームコントロールシステム全体における、分岐回路に接続されている機器を当該分岐回路に対応づける登録操作の処理の流れの一例を概略的に示すシーケンス図である。
【図２３】図２２に示される登録操作の情報機器における処理の流れの一例を概略的に示すフローチャートである。
【図２４】図２２に示される登録操作のサーバにおける処理の流れの一例を概略的に示すフローチャートである。
【図２５】図２２に示される登録操作の別の情報機器における処理の流れの一例を概略的に示すフローチャートである。
【図２６】ホームコントロールシステム全体における、情報機器のディスプレイに消費電力量を表示する処理の流れの一例を概略的に示すシーケンス図である。
【図２７】情報機器における、ディスプレイに消費電力量を表示する処理の流れの一例を概略的に示すフローチャートである。
【図２８】サーバにおける、情報機器のディスプレイに消費電力量を表示する処理の流れの一例を概略的に示すフローチャートである。
【発明を実施するための形態】
【０００９】
（本開示に係る一態様を発明するに至った経緯）
まず、本開示に係る一態様の着眼点について説明する。
【００１０】
上記特許文献１では、各対象機器の電源のＯＮ／ＯＦＦ状態及び各部屋の温度を表示することのみが記載されている。しかし、各部屋に配置された対象機器により消費された消費電力量を表す表示はない。一方で、各部屋の温度を表す表示に加えて、各部屋の消費電力量を表す表示を単に追加することは可能であると考えられる。しかし、表示スペースにも制限があることから、単に表示の種類を追加だけでは、ユーザに提供する情報が煩雑となり、ユーザに必要な情報を示すにも限界があるという課題が生ずる。
【００１１】
以上の考察により、本発明者らは、以下の発明の各態様を想到するに至った。
【００１２】
本開示の一態様による制御方法は、
２以上の対象機器が対応づけられた第１の分岐回路を含む複数の分岐回路を含み、分岐回路単位にて消費電力量を管理する分電盤システムにネットワークを介して接続され、タッチパネル式ディスプレイを有する情報機器の制御方法であって、
前記情報機器のコンピュータに対し、
前記ネットワークを介して前記分電盤システムから前記分岐回路単位で消費電力量を示す状態情報を取得させ、
前記第１の分岐回路に対応づけられた前記２以上の対象機器の各々に対応する２以上の表示オブジェクトを重ねた状態で前記ディスプレイに表示させつつ、前記重ねられた２以上の表示オブジェクト上に前記第１の分岐回路に対応する消費電力量を示す電力表示を重ねて表示させ、
前記重ねられた２以上の表示オブジェクトにおいて前記重ねられた２以上の表示オブジェクトをタップする操作が検知された場合、前記重ねられた２以上の表示オブジェクトを分離して表示させ、前記分離された２以上の表示オブジェクトの各々に、前記第１の分岐回路に対応づけられた前記２以上の対象機器の各々を表した機器表示を表示させ、
前記ディスプレイにおいて前記分離された２以上の表示オブジェクトのいずれかの表示オブジェクトをタップする操作が検知された場合、前記分離された２以上の表示オブジェクトを重ねて表示させ、前記重ねられた２以上の表示オブシェクトの各々から、前記第１の分岐回路に対応づけられた２以上の対象機器の各々を表した機器表示を消去させるものである。
【００１３】
例えば、リビングルームの消費電力量を示すだけでは、前記リビングルームにはどれぐらいの対象機器が設置されているためにその消費電力量になったかをユーザは判断できない。
【００１４】
本態様によると、まず、前記第１の分岐回路に対応づけられた２以上の対象機器の各々に対応する２以上の表示オブジェクトを重ねた状態で前記ディスプレイに表示させつつ、前記重ねられた２以上の表示オブジェクト上に前記第１の分岐回路に対応する消費電力量を示す電力表示を重ねて表示させる。これにより、ユーザは、前記第１の分岐回路に対応づけられた対象機器の総消費電力量を把握できる。
【００１５】
さらに、本態様によると、前記重ねられた２以上の表示オブジェクトをタップする操作が検知された場合、前記重ねられた２以上の表示オブジェクトを分離して表示させ、前記分離された２以上の表示オブジェクトの各々に、前記第１の分岐回路に対応づけられた２以上の対象機器の各々を表した機器表示を表示させる。これにより、ユーザは、前記第１の分岐回路に対応づけられている対象機器の種別及び数を容易に判断できる。そのため、ユーザは、例えば、リビングルームにはどれぐらいの対象機器が設置されているためにその消費電力量になったかを容易に判断できる。
【００１６】
また、前記分離された２以上の表示オブジェクトの各々に、前記第１の分岐回路に対応づけられた２以上の対象機器の各々を表した機器表示を表示させることを、常態としているのではない。前記機器表示の表示は、前記２以上の対象機器の各々に対応する２以上の表示オブジェクトを重ねた状態で行うことができる。
【００１７】
前記第１の分岐回路に対応づけられた対象機器の総消費電力量を表示しつつ、前記第１の分岐回路に対応づけられた対象機器を表す機器表示を表示することを常態とすることも考えられる。しかし、前記ディスプレイの表示スペースには制限がある。このため、例えば、部屋数が多い場合、または、リビングルームのように配置される対象機器が多い場合などは、単に表示の種類を増加させるだけでは、ユーザに提供する情報が煩雑となり、ユーザに必要な情報を示すにも限界がある場合もある。
【００１８】
本態様によると、前記２以上の表示オブジェクトを分離した状態の表示と、前記２以上の表示オブジェクトを重ねた状態の表示とを、それぞれ切り替えて表示できるので、その分、限られた表示スペースを有効に活用できる。
【００１９】
上記態様において、例えば、
前記ディスプレイにおいて前記分離された２以上の表示オブジェクトのいずれかの表示オブジェクトをタップする操作が検知された場合、前記分離された２以上の表示オブジェクトを重ねて表示させ、前記重ねられた２以上の表示オブシェクトの各々から、前記第１の分岐回路に対応づけられた２以上の対象機器の各々を表した機器表示を消去させるようにした。
【００２０】
前記２以上の表示オブジェクトが重ねられると、前記第１の分岐回路に対応する表示スペースが小さくなる。この場合に、前記各機器表示の表示が残ると、小さくなった表示スペースに複数の表示が混み合うことになり、ユーザが必要な情報を誤認する可能性がある。
【００２１】
本態様によると、前記分離された２以上の表示オブジェクトを重ねる場合には、前記２以上の表示オブジェクトの各々から前記各機器表示を消去させる。これにより、前記重ねられた２以上の表示オブジェクト上には、前記第１の分岐回路に対応する消費電力量を示す電力表示が表示され、前記各機器表示は表示されない。そのため、ユーザは、前記第１の分岐回路に対応する総消費電力量を誤認することなく把握できる。
【００２２】
上記態様において、例えば、
前記ディスプレイにおいて前記重ねられた２以上の表示オブジェクトを分離する操作が検知された場合、前記重ねられた２以上の表示オブジェクトを分離して表示させ、前記第１の分岐回路に対応する消費電力量を示す電力表示を消去させてもよい。
【００２３】
前記ディスプレイにおいて前記２以上の表示オブジェクトを分離した状態では、前記第１の分岐回路に対応する消費電力量を示す電力表示を表示せず、前記２以上の対象機器の各々を表した機器表示の表示だけにしてもよい。この場合、ユーザは、前記第１の分岐回路に対応づけられた２以上の対象機器を簡易な表示で把握できる。
【００２４】
上記態様において、例えば、
前記状態情報を用いて、前記第１の分岐回路に対応づけられた２以上の対象機器の中の少なくとも一つの対象機器の電源がオン状態であると判断された場合、前記第１の分岐回路に対応づけられた２以上の対象機器の各々に対応する２以上の表示オブジェクトを重ねた状態の表示は、動いた状態で表示されてもよい。
【００２５】
本態様によると、前記第１の分岐回路に対応づけられた２以上の対象機器の中の少なくとも一つの対象機器の電源がオン状態である場合、前記２以上の対象機器の各々に対応する２以上の表示オブジェクトを重ねた状態の表示は、例えば、上下方向または左右方向に動いた状態で表示される。これにより、ユーザは、前記２以上の対象機器の各々に対応する２以上の表示オブジェクトを重ねた状態の表示を見るたけで、前記第１の分岐回路に対応づけられた２以上の対象機器の中の少なくとも一つの対象機器の電源がオン状態であると判断できる。例えば、リンビングルームに配置されたいずれかの対象機器の電源を消し忘れたことを即座に認識できる。
【００２６】
上記態様において、例えば、
前記状態情報を用いて、前記第１の分岐回路に対応づけられた２以上の対象機器の中の全ての対象機器の電源がオフ状態であると判断された場合、前記第１の分岐回路に対応づけられた２以上の対象機器の各々に対応する２以上の表示オブジェクトを重ねた状態の表示は、停止した状態で表示されてもよい。
【００２７】
本態様によると、前記第１の分岐回路に対応づけられた２以上の対象機器の中の全ての対象機器の電源がオフ状態である場合、前記２以上の対象機器の各々に対応する２以上の表示オブジェクトを重ねた状態の表示は、停止した状態で表示される。これにより、ユーザは、前記２以上の対象機器の各々に対応する２以上の表示オブジェクトを重ねた状態の表示を見るたけで、前記第１の分岐回路に対応づけられた２以上の対象機器の中の全ての対象機器の電源がオフ状態であると判断できる。例えば、寝室に配置された全ての対象機器の電源を消したことを即座に確認できる。
【００２８】
上記態様において、例えば、
前記状態情報を用いて、前記第１の分岐回路に対応づけられた２以上の対象機器の中の少なくとも一つの対象機器の電源がオン状態であると判断された場合、前記第１の分岐回路に対応づけられた２以上の対象機器の各々に対応する２以上の表示オブジェクトを重ねた状態の表示は、第１色グループに属する色で表示されてもよい。
【００２９】
本態様によると、前記第１の分岐回路に対応づけられた２以上の対象機器の中の少なくとも一つの対象機器の電源がオン状態である場合、前記２以上の対象機器の各々に対応する２以上の表示オブジェクトを重ねた状態の表示は、例えば、緑系の第１色グループに属する色で表示される。これにより、ユーザは、前記２以上の対象機器の各々に対応する２以上の表示オブジェクトを重ねた状態の表示を見るたけで、前記第１の分岐回路に対応づけられた２以上の対象機器の中の少なくとも一つの対象機器の電源がオン状態であると判断できる。例えば、リンビングルームに配置されたいずれかの対象機器の電源を消し忘れたことを即座に認識できる。
【００３０】
上記態様において、例えば、
前記状態情報を用いて、前記第１の分岐回路に対応づけられた２以上の対象機器の中の全ての対象機器の電源がオフ状態であると判断された場合、前記第１の分岐回路に対応づけられた２以上の対象機器の各々に対応する２以上の表示オブジェクトを重ねた状態の表示は、前記第１色グループとは異なる第２色グループに属する色で表示されてもよい。
【００３１】
本態様によると、前記第１の分岐回路に対応づけられた２以上の対象機器の中の全ての対象機器の電源がオフ状態である場合、前記２以上の対象機器の各々に対応する２以上の表示オブジェクトを重ねた状態の表示は、例えば、グレー系の第２色グループに属する色で表示される。これにより、ユーザは、前記２以上の対象機器の各々に対応する２以上の表示オブジェクトを重ねた状態の表示を見るたけで、前記第１の分岐回路に対応づけられた２以上の対象機器の中の全ての対象機器の電源がオフ状態であると判断できる。例えば、寝室に配置された全ての対象機器の電源を消したことを即座に確認できる。
【００３２】
上記態様において、例えば、
前記第１の分岐回路に対応づけられた２以上の対象機器の各々に対応する２以上の表示オブジェクトを重ねた状態の表示は、前記第１の分岐回路に対応する消費電力量が多い程大きく、また、前記第１の分岐回路に対応する消費電力量が少ない程小さく表示されてもよい。
【００３３】
本態様によると、前記第１の分岐回路に対応づけられた２以上の対象機器の各々に対応する２以上の表示オブジェクトを重ねた状態の表示の大きさは、前記第１の分岐回路に対応する消費電力量に応じて変化する。これにより、ユーザは一見して前記第１の分岐回路に対応する消費電力量が多いかまたは少ないかを容易に把握できる。
【００３４】
上記態様において、例えば、
前記分電盤システムは、２以上の対象機器が対応づけられた第２の分岐回路を含み、
前記第２の分岐回路に対応づけられた２以上の対象機器の各々に対応する２以上の表示オブジェクトを重ねた状態で前記ディスプレイに表示させつつ、前記重ねられた２以上の表示オブジェクト上に前記第２の分岐回路に対応する消費電力量を示す電力表示を重ねて表示させ、
前記第２の分岐回路に対応づけられた２以上の対象機器の各々に対応する２以上の表示オブジェクトを重ねた状態の表示は、前記第２の分岐回路に対応する消費電力量が多い程大きく、また、前記第２の分岐回路に対応する消費電力量が小さい程小さく表示されてもよい。
【００３５】
本態様によると、前記第２の分岐回路に対応づけられた２以上の対象機器の各々に対応する２以上の表示オブジェクトを重ねた状態の表示の大きさは、前記第１の分岐回路の場合と同様に、前記第２の分岐回路に対応する消費電力量に応じて変化する。このため、例えば、前記第１の分岐回路に対応づけられた２以上の対象機器の各々に対応する２以上の表示オブジェクトを重ねた状態の表示が、前記第２の分岐回路に対応づけられた２以上の対象機器の各々に対応する２以上の表示オブジェクトを重ねた状態の表示より大きい場合は、前記第１の分岐回路に対応する消費電力量は前記第２の分岐回路に対応する表示電力量より多いと、ユーザは即座に判別できる。
【００３６】
上記態様において、例えば、
前記分電盤システムは、２以上の対象機器が対応づけられた第２の分岐回路を含み、
前記第２の分岐回路に対応づけられた２以上の対象機器の各々に対応する２以上の表示オブジェクトを重ねた状態で前記ディスプレイに表示させつつ、前記重ねられた２以上の表示オブジェクト上に前記第２の分岐回路に対応する消費電力量を示す電力表示を重ねて表示させ、
前記第２の分岐回路に対応する前記重ねられた２以上の表示オブジェクトにおいて前記重ねられた２以上の表示オブジェクトを分離する操作が検知された場合、前記重ねられた２以上の表示オブジェクトを分離して表示させ、前記分離された２以上の表示オブジェクトの各々に、前記第２の分岐回路に対応づけられた２以上の対象機器の各々を表した機器表示を表示させ、前記第１の分岐回路に対応する前記分離された２以上の表示オブジェクトを重ねて表示させてもよい。
【００３７】
本態様によると、ある分岐回路に対応する２以上の表示オブジェクトを分離する操作を検知すると、ある分岐回路に対応する２以上の表示オブジェクトを分離する表示をすると共に、既に分離している他の分岐回路に対応する表示があれば、前記他の分岐回路に対応する２以上の表示オブジェクトを重ねる表示をさせる。
【００３８】
これによると、前記第２の分岐回路に対応する前記重ねられた２以上の表示オブジェクトを分離する操作をすれば、前記第２の分岐回路に対応する前記重ねられた２以上の表示オブジェクトを分離して表示させ、前記分離された２以上の表示オブジェクトの各々に、前記第２の分岐回路に対応づけられた２以上の対象機器の各々を表した機器表示を表示させるだけではなく、前記第１の分岐回路に対応する分離された２以上の表示オブジェクトを重ねる表示がされる。
【００３９】
これにより、前記第２の分岐回路に対応する前記重ねられた２以上の表示オブジェクトを分離する操作をすれば、ユーザに前記第１の分岐回路に対応する分離された２以上の表示オブジェクトを重ねる操作をさせることなく、前記第１の分岐回路に対応する分離された２以上の表示オブジェクトを重ねる表示がされる。そのため、前記第１の分岐回路に対応する分離された２以上の表示オブジェクトを重ねる操作を削減できる。その結果、操作数を軽減できる。
【００４０】
また、前記ディスプレイの表示スペ―スには制約がある。前記第２の分岐回路に対応する前記重ねられた２以上の表示オブジェクトを分離する操作をした場合、前記第２の分岐回路に対応する２以上の表示オブジェクトが分離された表示がされるだけではなく、前記第１の分岐回路に対応する２以上の表示オブジェクトが分離された表示がされていると、前記第１の分岐回路に対応する表示及び前記第２の分岐回路に対応する表示の中のいずれか一方の表示が、前記ディスプレイの表示スペースからはみ出して見えなくなる可能性がある。
【００４１】
本態様によると、前記第２の分岐回路に対応する前記重ねられた２以上の表示オブジェクトを分離する操作をすれば、前記第２の分岐回路に対応する２以上の表示オブジェクトが分離された表示をさせると共に、前記第１の分岐回路に対応する２以上の表示オブジェクトを重ねて表示させる制御を行う。そのため、制約のあるディスプレイの表示スペースを有効に活用しつつ、可能な限り、前記第１の分岐回路に対応する表示及び前記第２の分岐回路に対応する表示のいずれもが、前記ディスプレイの表示スペース内に収まるように制御している。その結果、前記第２の分岐回路に対応する前記重ねられた２以上の表示オブジェクトを分離する操作をした場合でも、前記第１の分岐回路に対応する表示の表示スペースを確保できる。
【００４２】
上記態様において、例えば、
前記２以上の表示オブジェクトが重ねられて前記ディスプレイに表示されている場合であって、前記２以上の表示オブジェクトの中の少なくとも一つの表示オブジェクトの一部分のみが前記ディスプレイに表示されている場合、前記一部分の選択が検知されると、前記重ねられた２以上の表示オブジェクトを分離して表示させ、前記分離された２以上の表示オブジェクトの全体が前記ディスプレイに表示される位置まで、前記２以上の表示オブジェクトの全体を移動させてもよい。
【００４３】
前記２以上の表示オブジェクトを重ねられた状態から分離された状態で表示する場合、前記重ねられた２以上の表示オブジェクトの中の少なくとも一つの表示オブジェクトが部分的に前記ディスプレイの表示領域からはみ出して隠れている場合、前記重ねられた２以上の表示オブジェクトを分離して表示する際に、分離された表示オブジェクトの全体がディスプレイの表示領域内に表示されないことがあり得る。
【００４４】
本態様によると、重ねられた状態の前記２以上の表示オブジェクトの中の少なくとも一つの表示オブジェクトの一部分のみが前記ディスプレイに表示されている場合、前記一部分を選択すれば、前記重ねられた２以上の表示オブジェクトが分離して表示され、前記分離された２以上の表示オブジェクトの全体が前記ディスプレイの表示領域内に表示されることになる。
【００４５】
これにより、前記２以上の表示オブジェクトが重ねられた状態で表示された位置が前記ディスプレイのどこかに関わらず、前記２以上の表示オブジェクトが分離された状態で、前記２以上の表示オブジェクトの全体を表示することができる。そのため、前記分離された２以上の表示オブジェクトの各々に表示された各機器表示を、ユーザは誤認することなく、確認できる。
【００４６】
上記態様において、例えば、
前記分離された２以上の表示オブジェクトを表示させた状態において前記ディスプレイでスクロール操作が検知された場合、前記分離された２以上の表示オブジェクトを重ねて表示させてもよい。
【００４７】
本態様によると、前記分離された２以上の表示オブジェクトを表示させた状態において前記ディスプレイでスクロール操作が検知された場合、前記２以上の表示オブジェクトが分離された状態の表示のまま移動するのではなく、前記分離された２以上の表示オブジェクトを重ねた表示にして移動させる。
【００４８】
即ち、前記ディスプレイでスクロール操作とは別に前記分離された２以上の表示オブジェクトを重ねる操作をユーザに要求することなく、前記ディスプレイに表示された表示画面をスクロールするという操作に、前記分離された２以上の表示オブジェクトを重ねる操作を兼用させる。そのため、ユーザは、前記ディスプレイに表示された表示画面をスクロールするという操作をし、これとは別に前記分離された２以上の表示オブジェクトを重ねる操作をする必要がなくなり、操作負担を軽減できる。
【００４９】
また、前記表示画面をスクロールすると自動的に前記分離された２以上の表示オブジェクトを重ねるので、前記表示画面上での空き領域が自動的に増え、制約のあるディスプレイの表示スペースを効果的に有効に活用できる。
【００５０】
上記態様において、例えば、
前記２以上の対象機器の各々を表した機器表示は、前記各対象機器を表した画像であってもよい。
【００５１】
上記態様において、例えば、
前記分電盤システムは、外部電力を前記２以上の対象機器に分電する分電盤と、前記２以上の対象機器の消費電力量を前記分岐回路の単位で計測する計測機器とを含んでもよい。
【００５２】
上記態様において、例えば、
前記分電盤システムは、外部電力を前記２以上の対象機器に分電し、前記２以上の対象機器の消費電力量を前記分岐回路の単位で計測する分電盤を含んでもよい。
【００５３】
上記態様において、例えば、
前記ディスプレイはタッチパネル式ディスプレイであり、
前記重ねられた２以上の表示オブジェクトにおいて前記重ねられた２以上の表示オブジェクトを分離する操作は、前記重ねられた２以上の表示オブジェクトをタップする操作を含んでもよい。
【００５４】
上記態様において、例えば、
前記ディスプレイはタッチパネル式ディスプレイであり、
前記分離された２以上の表示オブジェクトを重ねる操作は、前記分離された２以上の表示オブジェクトのいずれかの表示オブジェクトをタップする操作を含んでもよい。
【００５５】
本開示の他の態様は、
２以上の対象機器が対応づけられた第１の分岐回路を含む複数の分岐回路を含み、分岐回路単位にて消費電力量を管理する分電盤システムにネットワークを介して接続され、タッチパネル式ディスプレイを有する情報機器において実行されるプログラムであって、
前記情報機器のコンピュータに対し、
前記ネットワークを介して前記分電盤システムから前記分岐回路単位で消費電力量を示す状態情報を取得させる処理と、
前記第１の分岐回路に対応づけられた前記２以上の対象機器の各々に対応する２以上の表示オブジェクトを重ねた状態で前記ディスプレイに表示させつつ、前記重ねられた２以上の表示オブジェクト上に前記第１の分岐回路に対応する消費電力量を示す電力表示を重ねて表示させる処理と、
前記重ねられた２以上の表示オブジェクトにおいて前記重ねられた２以上の表示オブジェクトをタップする操作が検知された場合、前記重ねられた２以上の表示オブジェクトを分離して表示させ、前記分離された２以上の表示オブジェクトの各々に、前記第１の分岐回路に対応づけられた前記２以上の対象機器の各々を表した機器表示を表示させる処理と、
前記ディスプレイにおいて前記分離された２以上の表示オブジェクトのいずれかの表示オブジェクトをタップする操作が検知された場合、前記分離された２以上の表示オブジェクトを重ねて表示させ、前記重ねられた２以上の表示オブシェクトの各々から、前記第１の分岐回路に対応づけられた２以上の対象機器の各々を表した機器表示を消去させる処理と、を実行させるものである。
【００５６】
本開示のさらに他の態様は、
上記他の態様のプログラムを搭載した情報機器である。
【００５７】
（実施の形態）
以下、本開示の一実施の形態について、図面を参照しながら説明する。なお、各図面において、同じ構成要素については同じ符号が用いられている。
【００５８】
本実施の形態では、分岐回路に対応づけられた対象機器の消費電力量を分岐回路単位にてユーザに表示する情報機器について説明する。
【００５９】
図１は、本実施の形態における情報機器が適用されたホームコントロールシステムの全体構成を概略的に示すブロック図である。図１に示されるように、ホームコントロールシステムは、情報機器１００Ａ，１００Ｂと、機器２００（対象機器の一例）と、サーバ３００と、電力管理システム４００と、ルータ５０と、を備えている。
【００６０】
家の中には、情報機器１００Ｂと、２以上の機器２００（図１では、例えば機器Ａ２００〜機器Ｅ２００）と、電力管理システム４００と、ルータ５０とが配置されている。クラウドセンタには、サーバ３００が配置されている。
【００６１】
情報機器１００Ａ，１００Ｂ、サーバ３００、及び電力管理システム４００は、有線又は無線のネットワークを介して相互に通信を行う。例えば、情報機器１００Ｂと電力管理システム４００とは、無線又は有線の宅内のネットワーク及びルータ５０を介して相互に通信可能に接続されている。情報機器１００Ｂ及び電力管理システム４００と、サーバ３００とは、インターネット等の外部のネットワーク及びルータ５０を介して相互に通信可能に接続されている。情報機器１００Ａと、電力管理システム４００と、サーバ３００とは、インターネット等の外部のネットワークを介して相互に通信可能に接続されている。
【００６２】
情報機器１００Ａは、例えばスマートフォン、タブレット型コンピュータ、又は携帯電話等の携帯可能な携帯情報装置である。情報機器１００Ｂは、例えばパーソナルコンピュータ（ＰＣ）であり、家の中に配置されている。以下では、情報機器１００Ａと情報機器１００Ｂとを区別しない場合には、情報機器１００と総称される。
【００６３】
電力管理システム４００は、分電盤４１０と、計測装置４２０と、管理装置４３０とを備える。分電盤４１０と機器２００とは、分岐回路を介して互いに接続されている。電力管理システム４００の構成と、電力管理システム４００と機器２００との接続状態とは、図２を参照して次に説明される。本実施の形態において、サーバ３００と電力管理システム４００とは、分電盤システムの一例を構成する。
【００６４】
図２は、図１のホームコントロールシステムにおいて、電力管理システム４００と機器２００との接続状態をより詳細に示すブロック図である。図２のホームコントロールシステムは、機器２００の具体例として、空気調和機（以下、「エアコン」と称される）２０１、給湯器２０２、冷蔵庫２０３、炊飯器２０４、電子レンジ２０５、レコーダ２０６、テレビ受像機（以下、「テレビ」と称される）２０７、照明機器２０８、テレビ２０９を備える。なお、テレビ２０７，２０９というように、機器２００として、同種類の機器２００を複数台含んでいてもよい。
【００６５】
電力管理システム４００の分電盤４１０は、外部（例えば電力会社の送電線）４０１から電力線４０２を介して得られる電力を各機器２００に電力線４４０を介して分配する公知の装置である。分電盤４１０は、電力を安全に使用するための公知の配線用遮断部４１１、漏電遮断部４１２、及び電流制限部４１３を備える。
【００６６】
図２のホームコントロールシステムは、分電盤４１０に接続された電力線４４０として、分岐回路４４１〜４４５を備える。分岐回路４４１は、エアコン２０１に接続されている。分岐回路４４１には、「エアコン」という名称が付与されている。分岐回路４４２は、給湯器２０２に接続されている。分岐回路４４２には、「給湯器」という名称が付与されている。このように、分岐回路４４１，４４２は、それぞれ、単一の機器２００に接続されている。
【００６７】
分岐回路４４３は、さらに分岐して、冷蔵庫２０３、炊飯器２０４、電子レンジ２０５にそれぞれ接続されている。冷蔵庫２０３、炊飯器２０４、電子レンジ２０５を含む機器群４５３は、例えば台所に配置されている。そこで、分岐回路４４３には、「キッチン」という名称が付与されている。
【００６８】
分岐回路４４４は、さらに分岐して、レコーダ２０６、テレビ２０７にそれぞれ接続されている。レコーダ２０６、テレビ２０７を含む機器群４５４は、例えば居間に配置されている。そこで、分岐回路４４４には、「リビング」という名称が付与されている。
【００６９】
分岐回路４４５は、さらに分岐して、照明機器２０８、テレビ２０９にそれぞれ接続されている。照明機器２０８、テレビ２０９を含む機器群４５５は、例えば複数の洋室のうちの一つに配置されている。そこで、分岐回路４４５には、「洋室ＲＡ」という名称が付与されている。
【００７０】
電力管理システム４００の計測装置４２０は、消費電力量計測回路４２１と、通信制御回路４２２とを備える。分岐回路４４１〜４４５は、それぞれ、通信線４６０を介して消費電力量計測回路４２１に接続されている。
【００７１】
消費電力量計測回路４２１は、分岐回路４４１〜４４５に接続された各機器の消費電力量を分岐回路単位にて計測する。すなわち、消費電力量計測回路４２１は、エアコン２０１、給湯器２０２、機器群４５３，４５４，４５５の各々の消費電力量を計測する。通信制御回路４２２は、消費電力量計測回路４２１により計測された消費電力量を、管理装置４３０に送信する。
【００７２】
なお、図１、図２では、分電盤４１０と計測装置４２０とは別々の構成とされているが、本開示は、これに限られない。代替的に、分電盤４１０が計測装置４２０の機能を備えていてもよい。すなわち、分電盤４１０と計測装置４２０とが一体的に構成されていてもよい。また、通信制御回路４２２は、消費電力量計測回路４２１により計測された消費電力量を、直接サーバ３００に送信してもよい。
【００７３】
図３は、情報機器１００、サーバ３００、及び管理装置４３０の構成を概略的に示すブロック図である。情報機器１００は、例えば、マイクロプロセッサ、リードオンリーメモリ（ＲＯＭ）、ランダムアクセスメモリ（ＲＡＭ）等を備える。図３に示されるように、情報機器１００は、ディスプレイ１０１、操作部１０２、表示制御部１０３、蓄積部１０４、及び通信制御部１０５を備える。
【００７４】
ディスプレイ１０１は、例えば、タッチパネルディスプレイにより構成され、ユーザが情報機器１００を操作するためのユーザインタフェースなどを表示する。ユーザは、ディスプレイ１０１に触れることで、情報機器１００に種々の操作を入力することができる。
【００７５】
操作部１０２は、ユーザによるディスプレイ１０１への操作を認識すると、その操作の内容を解釈し、他の構成要素に操作内容を通知する。例えば、操作部１０２は、ユーザがタップしたディスプレイ１０１上の位置にオブジェクトが表示されていれば、そのオブジェクトがユーザにより選択されたと判定する。オブジェクトとしては、ボタン等のユーザの操作を受け付ける種々のＧＵＩ（Ｇｒａｐｈｉｃａｌ  Ｕｓｅｒ  Ｉｎｔｅｒｆａｃｅ）部品が採用される。
【００７６】
通信制御部１０５は、情報機器１００とサーバ３００との間の通信、及び、情報機器１００と管理装置４３０との間の通信を制御する。また、通信制御部１０５は、他のブロックから種々のデータの送信依頼を受け付けて、サーバ３００又は管理装置４３０に送信すると共に、サーバ３００又は管理装置４３０から送信されたデータを受信し、該当するブロックに渡す。
【００７７】
表示制御部１０３は、通信制御部１０５を介して取得した情報を用いて、情報機器１００のＧＵＩを生成し、ディスプレイ１０１に表示させる。蓄積部１０４は、ユーザによって設定された情報、又は通信制御部１０５を介してサーバ３００から受信した情報等を蓄積する。
【００７８】
なお、ディスプレイ１０１は、タッチパネルディスプレイでなくて、通常のディスプレイであってもよい。この場合、ユーザは、図示しないマウスなどの外部入力装置を用いて、ディスプレイ１０１上に表示されたポインタを移動させて所望のオブジェクトをクリックし、オブジェクトの選択指示を入力すればよい。すなわち、本実施の形態において、ユーザがディスプレイ１０１を触れることで行われる一連の操作は、マウスなどの外部入力装置を用いてポインタを移動させたり、クリックしたりする操作に置き換えることができる。
【００７９】
サーバ３００は、例えば、マイクロプロセッサ、ＲＯＭ、ＲＡＭ等を備える。図３に示されるように、サーバ３００は、管理部３０１、機器制御部３０２、蓄積部３０３、及び通信制御部３０４を備える。通信制御部３０４は、サーバ３００と情報機器１００との間の通信、及び、サーバ３００と管理装置４３０との間の通信を制御する。また、通信制御部３０４は、他のブロックから種々のデータの送信依頼を受け付けて、情報機器１００又は管理装置４３０に送信すると共に、情報機器１００又は管理装置４３０から送信されたデータを受信し、該当するブロックに渡す。
【００８０】
管理部３０１は、通信制御部３０４を介して電力管理システム４００から受信した機器２００の消費電力量を蓄積部３０３に蓄積して、家ごと（つまり分電盤４１０ごと）に管理する。また、管理部３０１は、後述される分岐回路リスト１５００（図１５）等の情報を電力管理システム４００から取得し、取得した情報を蓄積部３０３に蓄積して、家ごとに管理する。
【００８１】
機器制御部３０２は、電力管理システム４００から送信される消費電力量に基づき、消費電力量情報１８００（後述）を生成する。機器制御部３０２は、生成した消費電力量情報１８００を蓄積部３０３に蓄積する。蓄積部３０３は、管理部３０１が管理する機器の消費電力量等の情報、及びサーバ３００の動作に必要な情報を蓄積する。
【００８２】
管理装置４３０は、例えば、マイクロプロセッサ、ＲＯＭ、ＲＡＭ等を備える。図３に示されるように、管理装置４３０は、サーバ３００と同様に、管理部４３１、機器制御部４３２、蓄積部４３３、及び通信制御部４３４を備える。
【００８３】
通信制御部４３４は、管理装置４３０と情報機器１００との間の通信、管理装置４３０と計測装置４２０との間の通信、及び、管理装置４３０とサーバ３００との間の通信を制御する。通信制御部４３４は、計測装置４２０により送信された消費電力量に関する情報を受信し、受信した情報をサーバ３００に送信する。また、通信制御部４３４は、他のブロックから種々のデータの送信依頼を受け付けて、情報機器１００又はサーバ３００に送信すると共に、情報機器１００又はサーバ３００から送信されたデータを受信し、該当するブロックに渡す。
【００８４】
管理装置４３０の管理部４３１、機器制御部４３２、蓄積部４３３は、それぞれ、サーバ３００の管理部３０１、機器制御部３０２、蓄積部３０３と同一の機能を果たしてもよい。管理装置４３０は、宅内のサーバとして機能してもよい。
【００８５】
図４は、情報機器１００の実装形態の構成例を示すブロック図である。図４に示されるように、情報機器１００は、アプリケーション１１１、ＯＳ（Ｏｐｅｒａｔｉｎｇ  Ｓｙｓｔｅｍ）１１２、メモリ１１３、及び図示しないその他のハードウェアを備えている。
【００８６】
アプリケーション１１１は、タブレット型、ノート型又はデスクトップ型等のパーソナルコンピュータ、又はスマートフォン等のコンピュータを備える情報装置を情報機器１００として機能させるためのアプリケーションソフトウェアであり、情報機器１００のプロセッサにより実行される。情報機器１００は、コンピュータ読み取り可能な記録媒体からアプリケーション１１１を読み出してアプリケーション１１１を実装してもよいし、ネットワークからダウンロードすることでアプリケーション１１１を実装してもよい。
【００８７】
ＯＳ１１２は、情報機器１００の基本ソフトウェアであり、情報機器１００のプロセッサにより実行される。メモリ１１３は、情報機器１００が備えるＲＡＭ、ＲＯＭ等の記憶装置により構成され、アプリケーション１１１に含まれるデータ群を記憶する。情報機器１００のプロセッサがアプリケーション１１１を実行することで、図３に示される操作部１０２、表示制御部１０３、蓄積部１０４、及び通信制御部１０５の機能が実現される。また、情報機器１００のプロセッサがアプリケーション１１１を実行することで、メモリ１１３が蓄積部１０４として機能する。
【００８８】
但し、本実施の形態では、情報機器１００は、アプリケーション１１１のみ単独で実装されてもよいし、アプリケーション１１１及びＯＳ１１２で実装されてもよいし、アプリケーション１１１、ＯＳ１１２、及びメモリ１１３で実装されてもよいし、アプリケーション１１１、ＯＳ１１２、メモリ１１３、及びその他の図示しないハードウェアで実装されてもよい。いずれの実装形態においても本実施の形態の情報機器１００を実現することは可能である。
【００８９】
なお、本実施の形態において、情報機器１００を構成する、例えば、プロセッサ及び記憶装置によってコンピュータが構成される。プロセッサとしては、ＣＰＵ、ＦＰＧＡ、及びＡＳＩＣのいずれか或いはこれらの２以上の組み合わせが採用される。記憶装置としては、例えば、ＲＯＭ、ＲＡＭ、及びハードディスクのいずれか、或いはこれらの２以上の組み合わせが採用される。
【００９０】
図５は、情報機器１００のディスプレイ１０１に表示される基本画面５００の一例を概略的に示す図である。本実施の形態のホームコントロールシステムが起動されると、表示制御部１０３は、図５に示される基本画面５００を、情報機器１００のディスプレイ１０１に表示する。
【００９１】
基本画面５００は、図５に示されるように、２以上の表示オブジェクト５０１が互いに重なり合った表示オブジェクト群と、２以上の表示オブジェクト５０２が互いに重なり合った表示オブジェクト群と、表示オブジェクト５０３とを含む。各表示オブジェクト５０１，５０２，５０３は、図５の例では円形を有する。基本画面５００は、さらに、表示オブジェクト５０１〜５０３上にそれぞれ重ねて表示された、分岐回路名称５１１と、消費電力量表示５１２（電力表示の一例）とを含む。
【００９２】
２以上の表示オブジェクト５０１を含むオブジェクト群と、２以上の表示オブジェクト５０２を含むオブジェクト群と、表示オブジェクト５０３とは、それぞれ、図２に示される各分岐回路に対応して設けられている。例えば表示オブジェクト５０１上に表示されている分岐回路名称５１１は、「リビング」と記載されている。これによって、２以上の表示オブジェクト５０１が互いに重なり合った表示オブジェクト群は、分岐回路４４４（図２）に対応するものであることが明示されている。
【００９３】
また、例えば表示オブジェクト５０２上に表示されている分岐回路名称５１１は、「キッチン」と記載されている。これによって、２以上の表示オブジェクト５０２が互いに重なり合った表示オブジェクト群は、分岐回路４４３（図２）に対応するものであることが明示されている。また、例えば表示オブジェクト５０３上に表示されている分岐回路名称５１１は、「エアコン」と記載されている。これによって、表示オブジェクト５０３は、分岐回路４４１（図２）に対応するものであることが明示されている。
【００９４】
図６は、情報機器１００のディスプレイ１０１に表示される分離画面６００の一例を概略的に示す図である。図５に示される基本画面５００において、ユーザが、２以上の表示オブジェクト５０２を含むオブジェクト群をタップすると、操作部１０２は、そのタップを検出する。すると、表示制御部１０３は、情報機器１００のディスプレイ１０１に表示する表示画面を、図５に示される基本画面５００から図６に示される分離画面６００に切り替える。
【００９５】
図６に示される分離画面６００では、分岐回路名称５１１が「キッチン」の表示オブジェクト群が、表示オブジェクト５２１〜５２４に分離して表示されている。そして、基本画面５００では表示オブジェクト５０２上にそれぞれ重ねて表示されていた、分岐回路名称５１１と、消費電力量表示５１２とは、表示オブジェクト５２１〜５２４の直ぐ横に表示されている。
【００９６】
分離して表示されている表示オブジェクト５２１〜５２４上には、それぞれ、機器名称５３１（機器表示の一例）が重ねて表示されている。表示オブジェクト５２１〜５２３上に重ねて表示されている機器名称５３１は、それぞれ、「冷蔵庫」、「電子レンジ」、「炊飯器」と記載されている。ユーザは、機器名称５３１を見ることによって、分岐回路名称５１１が「キッチン」の分岐回路には、「冷蔵庫」、「電子レンジ」、「炊飯器」が対応づけられていることを確認することができる。
【００９７】
表示オブジェクト５２４上に重ねて表示されている機器名称５３１は、「機器登録」と記載されている。図６に示される分離画面６００において、表示オブジェクト５２４がタップされると、機器を新たに登録することが可能になる。機器の登録については、後述される。
【００９８】
図５に示される基本画面５００において、ユーザは、消費電力量表示５１２を見ることによって、各分岐回路における消費電力量を容易に確認することができる。また、基本画面５００では、表示オブジェクトを重ねることによって、表示面積の制約があるディスプレイ１０１において、より多くの分岐回路の表示オブジェクトを表示できる。
【００９９】
また、図６に示される分離画面６００によって、ユーザは、分岐回路に対応づけられている機器２００の種別及び数を容易に判断できる。そのため、ユーザは、例えば、リビングルームにはどれぐらいの機器２００が設置されているために、その消費電力量になったかを容易に判断できる。
【０１００】
なお、図５に示される基本画面５００では、ディスプレイ１０１の面積の制約から、表示オブジェクト５０１〜５０３のみが表示され、他の表示オブジェクトは非表示となっている。図５に示される基本画面５００上において、ユーザが、例えば上下方向のスワイプ操作等の予め定められた操作を行うと、操作部１０２は、その操作を検出する。すると、表示制御部１０３は、表示画面をスクロールして、図５では非表示となっている表示オブジェクトをディスプレイ１０１に表示する。
【０１０１】
また、図６に示される分離画面６００では、表示オブジェクト５２２と表示オブジェクト５２３、及び、表示オブジェクト５２３と表示オブジェクト５２４とは、それぞれ、少し重なっている。しかしながら、いずれの表示オブジェクト５２２〜５２４も、機器名称５３１を表示できるだけのスペースを有する程度に離れている。このように、本開示では、多少重なっていても、機器名称５３１を表示できるだけのスペースを有する程度に離れている場合には、「表示オブジェクトは分離している」と称される。
【０１０２】
図７は、情報機器１００のディスプレイ１０１の表示画面における画面遷移の一例を概略的に示す図である。図７の左上図に示される基本画面５００において、ユーザが、２以上の表示オブジェクト５０２を含むオブジェクト群を接触物７００（例えばユーザの指）でタップすると、操作部１０２は、そのタップを検出する。すると、表示制御部１０３は、情報機器１００のディスプレイ１０１に表示する表示画面を、図７の左上図に示される基本画面５００から図７の右上図に示される分離画面６００に切り替える。
【０１０３】
図７の右上図の分離画面６００では、図６と同様に、分岐回路名称５１１が「キッチン」の表示オブジェクト群が、表示オブジェクト５２１〜５２４に分離して表示されている。そして、基本画面５００では表示オブジェクト５０２上にそれぞれ重ねて表示されていた、分岐回路名称５１１と、消費電力量表示５１２とは、分離して表示されている表示オブジェクト５２１〜５２４の直ぐ横に表示されている。
【０１０４】
また、図７の右上図の分離画面６００では、表示オブジェクト５２１〜５２３上に、機器名称５３１に加えて、さらに機器アイコン５３２（機器表示の一例）が重ねて表示されている。機器アイコン５３２は、機器２００を模式的に表す。表示オブジェクト５２１〜５２３上の機器アイコン５３２は、それぞれ、「冷蔵庫」、「電子レンジ」、「炊飯器」を模式的に表している。
【０１０５】
分離画面６００において、図７の右下図の（ｉ）に示されるように、ユーザが、表示オブジェクトの表示領域以外の領域を接触物７００でタップすると、操作部１０２は、そのタップを検出する。すると、表示制御部１０３は、情報機器１００のディスプレイ１０１に表示する表示画面を、図７の右下図に示される分離画面６００から図７の左下図に示される基本画面５００に切り替える。
【０１０６】
また、図７の右下図の（ｉｉ）に示されるように、ユーザが、分離して表示されている表示オブジェクト５２１〜５２３のいずれかを接触物７００でタップすると、操作部１０２は、そのタップを検出する。すると、この場合も、表示制御部１０３は、情報機器１００のディスプレイ１０１に表示する表示画面を、図７の右下図に示される分離画面６００から図７の左下図に示される基本画面５００に切り替える。
【０１０７】
このように、表示オブジェクトの表示領域以外の領域と、分離して表示されている表示オブジェクト５２１〜５２３のいずれかとの、どちらをタップしても、情報機器１００のディスプレイ１０１に表示する表示画面を、容易に、分離画面６００から基本画面５００に戻すことができる。
【０１０８】
図８は、情報機器１００のディスプレイ１０１の表示画面における画面遷移の別の例を概略的に示す図である。図８の左上図と右上図とは、それぞれ、図７の左上図と右上図と同じであり、図７を参照して説明された手順で、表示制御部１０３は、情報機器１００のディスプレイ１０１の表示画面を、図８の左上図の基本画面５００から図８の右上図の分離画面６００に切り替える。
【０１０９】
分離画面６００（図８の右上図）では、表示オブジェクト５２１〜５２４が分離して表示されている。このため、２以上の表示オブジェクト５０２が重ねて表示されていた基本画面５００（図８の左上図）の場合に比べて、表示面積が大きくなっている。その結果、２以上の表示オブジェクト５０１が重ねて表示されている表示オブジェクト群（つまり分岐回路名称５１１が「リビング」の表示オブジェクト群）の表示位置は、図８の右上図に示されるように、図８の左上図の位置から上方に移動して、その一部がディスプレイ１０１から外にはみ出して、その一部のみがディスプレイ１０１に表示されている。
【０１１０】
このような状態で、図８の右下図の（ｉｉｉ）に示されるように、ユーザが、表示オブジェクト５０１を接触物７００でタップすると、操作部１０２は、そのタップを検出する。すると、表示制御部１０３は、情報機器１００のディスプレイ１０１に表示する表示画面を、図８の右下図に示される分離画面６００から図８の左下図に示される分離画面６１０に切り替える。
【０１１１】
図８の左下図に示される分離画面６１０では、分岐回路名称５１１が「リビング」の表示オブジェクト群が、表示オブジェクト５４１〜５４４に分離して表示されている。そして、基本画面５００では表示オブジェクト５０１上にそれぞれ重ねて表示されていた、分岐回路名称５１１と、消費電力量表示５１２とは、分離して表示されている表示オブジェクト５４１〜５４４の直ぐ横に表示されている。
【０１１２】
また、図８の左下図の分離画面６１０では、分離画面６００（図８の右下図）で分離して表示されていた分岐回路名称５１１が「キッチン」の表示オブジェクト５２１〜５２４は、基本画面５００（図８の左上図）と同様に、２以上の表示オブジェクト５０２として重ねて表示されている。
【０１１３】
このように、情報機器１００のディスプレイ１０１において、その一部のみがディスプレイ１０１に重ねて表示されている２以上の表示オブジェクト５０１のいずれかがタップされると、表示制御部１０３は、表示オブジェクトを下方に移動させて、分離した表示オブジェクト５４１〜５４４の全体をディスプレイ１０１に表示する。これによって、分離した表示オブジェクト５４１〜５４４の一部が欠けるのを未然に防止できる。
【０１１４】
また、図８の左下図の分離画面６１０では、表示制御部１０３は、ユーザのタップ時の分離画面６００（図８の右下図）では分離して表示されていた、分岐回路名称５１１が「キッチン」の表示オブジェクト５２１〜５２４を、重ねて表示された状態（図８の左上図の基本画面５００の状態）に戻す。これによって、情報機器１００のディスプレイ１０１では、表示オブジェクトが分離して表示されるのは、一つの分岐回路だけとされる。その結果、ディスプレイ１０１における画面表示が煩雑になるのを避けることができる。また、制限があるディスプレイ１０１の表示スペースを無駄にすることがないという利点がある。また、重ねる操作が不要のため、ユーザの操作数を低減できる。
【０１１５】
図９は、情報機器１００のディスプレイ１０１の表示画面における画面遷移のさらに別の例を概略的に示す図である。図９の左上図と右上図とは、それぞれ、図７の左上図と右上図と同じであり、図７を参照して説明された手順で、表示制御部１０３は、情報機器１００のディスプレイ１０１の表示画面を、図９の左上図の基本画面５００から図９の右上図の分離画面６００に切り替える。
【０１１６】
図９の右上図のように分離画面６００が表示された状態で、図９の右下図の（ｉｖ）に示されるように、ユーザが、接触物７００をディスプレイ１０１に接触させた状態で移動させるスワイプ操作７１０を行うと、操作部１０２は、そのスワイプ操作７１０を検出する。すると、表示制御部１０３は、情報機器１００のディスプレイ１０１の表示画面を、図９の右下図の分離画面６００から図９の左下図の基本画面５００に切り替える。
【０１１７】
このように、分離画面６００上でのスワイプ操作でも、情報機器１００のディスプレイ１０１に表示する表示画面を、分離画面６００から基本画面５００に戻すことができる。
【０１１８】
その結果、スワイプ操作により、見たい分岐回路に対応する表示オブジェクト（例えば、リビングに対応する表示オブジェクト）に近づくために画面スクロールも同時に行うとともに、分離画面６００を基本画面５００に戻すことができるため、例えば、キッチンに対応する表示オブジェクトを閉じる操作を行う必要がなく、操作数を軽減できる。
【０１１９】
情報機器１００のディスプレイ１０１に表示される基本画面は、図５に示される画面に限られない。例えば、基本画面において、機器２００の電源のオンオフが明示されるようにしてもよい。
【０１２０】
図１０は、情報機器１００のディスプレイ１０１に表示される基本画面の別の例を概略的に示す図である。図１０に示される基本画面１０００では、表示制御部１０３は、図５の基本画面５００と同様の表示オブジェクト５０１〜５０３を情報機器１００のディスプレイ１０１に表示している。
【０１２１】
図１０に示される基本画面１０００では、表示制御部１０３は、分岐回路に対応づけられている機器２００のうち電源がオンの機器２００がある場合には、表示オブジェクトを動いた状態で表示させる。例えば図１０では、分岐回路名称５１１が「リビング」及び「キッチン」の表示オブジェクト５０１，５０２を、矢印１０１０で示されるように、上下方向に動いた状態で表示させる。
【０１２２】
一方、表示制御部１０３は、分岐回路に対応づけられている機器２００のうち電源がオンの機器２００が無い場合には、表示オブジェクトを静止した状態で表示させる。例えば図１０では、分岐回路名称５１１が「エアコン」の表示オブジェクト５０３上に重ねて表示されている消費電力量表示５１２は、「０ｋＷｈ」となっている。したがって、表示制御部１０３は、表示オブジェクト５０３を静止した状態で表示させる。
【０１２３】
図１０の左図と右図とを交互に見ることによって、表示オブジェクト５０１，５０２は上下方向に動いた状態で表示され、表示オブジェクト５０３は静止した状態で表示されていることが表されている。
【０１２４】
このように、図１０に示される基本画面１０００では、ユーザは、ディスプレイ１０１に表示される表示オブジェクトが動いているか静止しているかを確認するだけで、電源がオンの機器２００の有無を容易に知ることができる。
【０１２５】
情報機器１００のディスプレイ１０１に表示される基本画面において、機器２００の電源のオンオフが明示される態様は、図１０に示される画面に限られない。
【０１２６】
図１１は、情報機器１００のディスプレイ１０１に表示される基本画面のさらに別の例を概略的に示す図である。図１１に示される基本画面１１００では、表示制御部１０３は、図５の基本画面５００と同様の表示オブジェクト５０１〜５０３を情報機器１００のディスプレイ１０１に表示している。
【０１２７】
図１１に示される基本画面１１００では、表示制御部１０３は、分岐回路に対応づけられている機器２００のうち電源がオンの機器２００がある場合には、表示オブジェクトを第１色グループに属する色、例えば緑色１１０１で表示する。
【０１２８】
一方、表示制御部１０３は、分岐回路に対応づけられている機器２００のうち電源がオンの機器２００が無い場合には、表示オブジェクトを第２色グループに属する色、例えば灰色１１０２で表示する。
【０１２９】
このように、図１１に示される基本画面１１００では、ユーザは、ディスプレイ１０１に表示される表示オブジェクトの色を確認するだけで、電源がオンの機器２００の有無を知ることができる。
【０１３０】
情報機器１００のディスプレイ１０１に表示される基本画面は、図５、図１０、図１１に示される画面に限られない。例えば、基本画面において、さらに、分岐回路における機器２００の消費電力量の大小が明示されるようにしてもよい。
【０１３１】
図１２は、情報機器１００のディスプレイ１０１に表示される基本画面のさらに別の例を概略的に示す図である。図１２に示される基本画面１２００では、表示制御部１０３は、図５の基本画面５００と同様の表示オブジェクト５０１〜５０３を情報機器１００のディスプレイ１０１に表示している。
【０１３２】
図１２に示される基本画面１２００では、表示制御部１０３は、重なっている表示オブジェクトのうちで、最上層の表示オブジェクト５０１〜５０３を、分岐回路に対応する消費電力量が多い程大きく、また、分岐回路に対応する消費電力量が少ない程小さく、表示する。
【０１３３】
例えば、図１２の左図では、分岐回路名称５１１が「リビング」、「キッチン」、「エアコン」の各分岐回路における消費電力量表示５１２は、それぞれ、「４０ｋＷｈ」、「６０ｋＷｈ」、「０ｋＷｈ」と記載されている。すなわち、エアコン２０１（図２）の電源はオフになっている。この場合には、最上層の表示オブジェクト５０１〜５０３の半径Ｒ５０１〜Ｒ５０３は、Ｒ５０２＞Ｒ５０１＞Ｒ５０３となっている。
【０１３４】
例えば、図１２の右図では、分岐回路名称５１１が「リビング」、「キッチン」、「エアコン」の各分岐回路における消費電力量表示５１２は、それぞれ、「４０ｋＷｈ」、「６０ｋＷｈ」、「５０ｋＷｈ」と記載されている。すなわち、エアコン２０１（図２）の電源はオンになっている。この場合には、最上層の表示オブジェクト５０１〜５０３の半径Ｒ５０１〜Ｒ５０３は、Ｒ５０２＞Ｒ５０３＞Ｒ５０１となっている。
【０１３５】
このように、図１２に示される基本画面１２００では、ユーザは、ディスプレイ１０１に表示される最上層の表示オブジェクトの大きさを確認するだけで、消費電力量の大小を容易に知ることができる。
【０１３６】
なお、図１２では、最上層の表示オブジェクトの半径が消費電力量に応じて変更されているが、本開示は、これに限られない。例えば、表示制御部１０３は、消費電力量が多くなるほど、重なっている表示オブジェクトの全体の面積を大きくするようにしてもよい。
【０１３７】
図１３は、情報機器１００のディスプレイ１０１に表示される設定画面１３００の一例を概略的に示す図である。例えば図７の右上図に示される分離画面６００において、機器名称５３１が「機器登録」と記載されている表示オブジェクト５２４を、ユーザが接触物７００でタップすると、操作部１０２は、そのタップを検出する。すると、表示制御部１０３は、情報機器１００のディスプレイ１０１の表示画面を、図７の右上図に示される分離画面６００から図１３に示される設定画面１３００に切り替える。
【０１３８】
設定画面１３００の最上段の表題欄１３１０には、「分岐回路に接続されている機器を登録」と記載されている。これによって、情報機器１００のディスプレイ１０１に表示されている画面が機器を分岐回路に対応づけるための画面であることが明示されている。表題欄１３１０の右端には、保存ボタン１３１１が設けられている。保存ボタン１３１１は、設定画面１３００に示されている登録内容を保存するためのものである。
【０１３９】
表題欄１３１０の直ぐ下の分岐回路名称欄１３２０には、「分岐回路：キッチン」と記載されている。これによって、図１３の設定画面１３００は、分岐回路名称が「キッチン」の分岐回路４４３（図２）に接続されている機器を登録するための画面であることが明示されている。つまり、図７の右上図に示される分離画面６００において、分岐回路名称５１１が「キッチン」の表示オブジェクト５２４がタップされて、図１３の設定画面１３００に遷移したことが分かる。
【０１４０】
分岐回路名称欄１３２０の直ぐ下の案内欄１３３０には、「機器を登録してください」と記載されている。この案内欄１３３０によって機器の登録をユーザに案内している。
【０１４１】
案内欄１３３０の下方には、分類名称欄１３４０と機器名称欄１３５０とが繰り返し設けられている。上側の分類名称欄１３４０には、「キッチン家電」という機器の分類名が記載され、続く機器名称欄１３５０には、「冷蔵庫」、「炊飯器」、「オーブントースター」、「電子レンジ」、「食洗機」と、分類名「キッチン家電」に含まれる具体的な機器の名称が記載されている。
【０１４２】
下側の分類名称欄１３４０には、「ＡＶ機器・パソコン」という機器の分類名が記載され、続く機器名称欄１３５０には、「テレビ」、「ＤＶＤプレーヤ」、「パソコン」と、分類名「ＡＶ機器・パソコン」に含まれる具体的な機器の名称が記載されている。
【０１４３】
機器名称欄１３５０の右端には、登録ボタン１３５１が設けられている。登録ボタン１３５１は、対応する機器を登録するためのものである。図１３に示される設定画面１３００では、「冷蔵庫」、「炊飯器」、「電子レンジ」に対応する登録ボタン１３５１がオンになっており、それ以外の登録ボタン１３５１はオフになっている。
【０１４４】
図１３に示される設定画面１３００において、オフになっている登録ボタン１３５１をユーザが接触物でタップすると、操作部１０２は、そのタップを検出する。すると、表示制御部１０３は、オフになっている登録ボタン１３５１の表示をオンに切り替える。
【０１４５】
また、図１３に示される設定画面１３００において、保存ボタン１３１１をユーザが接触物でタップすると、操作部１０２は、そのタップを検出する。すると、表示制御部１０３は、登録内容を蓄積部１０４に保存する。すなわち、表示制御部１０３は、分岐回路名称欄１３２０に表示されている分岐回路に、登録ボタン１３５１がオンになっている機器名称欄１３５０の機器を対応づける。表示制御部１０３は、その後、ディスプレイ１０１の表示画面を設定画面１３００から図７の右上図に示される分離画面６００に戻してもよい。
【０１４６】
図２に示されるように、分岐回路名称が「キッチン」の分岐回路４４３には、冷蔵庫２０３、炊飯器２０４、電子レンジ２０５が接続されている。図１３に示される設定画面１３００では、これらの冷蔵庫２０３、炊飯器２０４、電子レンジ２０５が、分岐回路名称が「キッチン」の分岐回路４４３に対応づけられていることが示されている。
【０１４７】
なお、図１３に示される設定画面１３００上において、ユーザが、例えば上下方向のスワイプ操作等の予め定められた操作を行うと、操作部１０２は、その操作を検出する。すると、表示制御部１０３は、表示画面をスクロールして、図１３では非表示となっている他の機器名称をディスプレイ１０１に表示する。
【０１４８】
図１４は、情報機器１００のディスプレイ１０１に表示される設定画面１３００の別の例を概略的に示す図である。図１４の設定画面１３００では、分岐回路名称欄１３２０に「分岐回路：リビング」と記載されている。これによって、図１４の設定画面１３００は、分岐回路名称が「リビング」の分岐回路４４４（図２）に接続されている機器を登録するための画面であることが明示されている。つまり、図８の左下図に示される分離画面６１０において、分岐回路名称５１１が「リビング」の表示オブジェクト５４４がタップされて、図１４の設定画面１３００に遷移したことが分かる。
【０１４９】
図２に示されるように、分岐回路名称が「リビング」の分岐回路４４４には、レコーダ２０６、テレビ２０７が接続されている。一方、図１４に示される設定画面１３００では、機器名称欄１３５０の「テレビ」、「レコーダ」に対応する登録ボタン１３５１がオンになっており、それ以外の登録ボタン１３５１はオフになっている。したがって、図１４に示される設定画面１３００では、レコーダ２０６、テレビ２０７が、分岐回路名称が「リビング」の分岐回路４４４に対応づけられていることが示されている。
【０１５０】
次に、図１５〜図２１を参照して、サーバ３００又は情報機器１００に保存されている情報の構成例が説明される。
【０１５１】
図１５は、サーバ３００の蓄積部３０３に保存されている分岐回路リスト１５００の構成の一例を概略的に示す図である。分岐回路リスト１５００は、分電盤４１０に接続されている分岐回路を表す。情報機器１００の表示制御部１０３は、ユーザの入力に基づき、分岐回路リスト１５００を生成する。情報機器１００の通信制御部１０５は、表示制御部１０３により生成された分岐回路リスト１５００をサーバ３００に送信する。
【０１５２】
サーバ３００の通信制御部３０４は、受信した分岐回路リスト１５００を蓄積部３０３に保存する。情報機器１００の表示制御部１０３は、生成した分岐回路リスト１５００を蓄積部１０４に保存してもよい。
【０１５３】
図１５に示されるように、分岐回路リスト１５００は、分岐回路ＩＤ１５０１、分岐回路名称１５０２、表示優先順位１５０３、登録機器数１５０４を含む。分岐回路ＩＤ１５０１は、分岐回路を識別する識別子を表す。分岐回路名称１５０２は、分岐回路に付与された名称を表す。表示優先順位１５０３は、基本画面５００（図５）に表示される表示オブジェクトの優先順位を表す。登録機器数１５０４は、設定画面１３００（図１３、図１４）を用いて分岐回路に対応づけられた機器の数を表す。
【０１５４】
図１５では、分岐回路ＩＤ「１」は、分岐回路名称が「エアコン」で登録機器数が「１」であることから、分岐回路４４１（図２）であることが分かる。また、分岐回路ＩＤ「２」は、分岐回路名称が「リビング」で登録機器数が「２」であることから、分岐回路４４４（図２）であることが分かる。また、分岐回路ＩＤ「３」は、分岐回路名称が「キッチン」で登録機器数が「３」であることから、分岐回路４４３（図２）であることが分かる。
【０１５５】
図１５の分岐回路リスト１５００では、分岐回路名称１５０２が「リビング」、「キッチン」、「エアコン」の順で、表示優先順位１５０３が「１」、「２」、「３」になっている。その結果、図５に示される基本画面５００において、表示制御部１０３は、上から分岐回路名称５１１が「リビング」、「キッチン」、「エアコン」の順で、表示オブジェクト５０１，５０２，５０３を情報機器１００のディスプレイ１０１に表示する。
【０１５６】
表示優先順位１５０３は、ユーザにより設定されるようにしてもよい。代替的に、ユーザが表示オブジェクトを分離させて見る頻度を積算しておき、頻度順に表示優先順位１５０３が設定されるようにしてもよい。
【０１５７】
図１６は、サーバ３００の蓄積部３０３に保存されている機器リスト１６００の構成の一例を概略的に示す図である。機器リスト１６００は、分岐回路に対応づけられている機器２００を表す。情報機器１００の表示制御部１０３は、設定画面１３００（図１３、図１４）を用いたユーザの入力に基づき、機器リスト１６００を生成する。情報機器１００の通信制御部１０５は、表示制御部１０３により生成された機器リスト１６００をサーバ３００に送信する。
【０１５８】
サーバ３００の通信制御部３０４は、受信した機器リスト１６００を蓄積部３０３に保存する。情報機器１００の表示制御部１０３は、生成した機器リスト１６００を蓄積部１０４に保存してもよい。
【０１５９】
図１６に示されるように、機器リスト１６００は、分岐回路ＩＤ１６０１、機器ＩＤ１６０２、機器名称１６０３を含む。分岐回路ＩＤ１６０１は、分岐回路を識別する識別子を表す。機器ＩＤ１６０２は、機器を識別する識別子を表す。機器名称１６０３は、機器の名称を表す。
【０１６０】
図１６の機器リスト１６００では、図２に示されるように各分岐回路に機器が対応づけられている。すなわち、分岐回路ＩＤが「１」の分岐回路（図１５から分岐回路名称が「エアコン」の分岐回路）には、「エアコン」が対応づけられている。分岐回路ＩＤが「２」の分岐回路（図１５から分岐回路名称が「リビング」の分岐回路）には、「テレビ」、「レコーダ」が対応づけられている。分岐回路ＩＤが「３」の分岐回路（図１５から分岐回路名称が「キッチン」の分岐回路）には、「炊飯器」、「電子レンジ」、「冷蔵庫」が対応づけられている。
【０１６１】
図１７は、サーバ３００の蓄積部３０３に保存されている情報機器リスト１７００の構成の一例を概略的に示す図である。情報機器リスト１７００は、分電盤４１０に対応づけられている情報機器１００を表す。情報機器１００の表示制御部１０３は、ユーザの入力に基づき、情報機器リスト１７００を生成する。情報機器１００の通信制御部１０５は、表示制御部１０３により生成された情報機器リスト１７００をサーバ３００に送信する。
【０１６２】
サーバ３００の通信制御部３０４は、受信した情報機器リスト１７００を蓄積部３０３に保存する。情報機器１００の表示制御部１０３は、生成した情報機器リスト１７００を蓄積部１０４に保存してもよい。
【０１６３】
図１７に示されるように、情報機器リスト１７００は、分電盤ＩＤ１７０１、情報機器ＩＤ１７０２、情報機器種別１７０３を含む。分電盤ＩＤ１７０１は、分電盤４１０を識別する識別子を表す。言い換えると、分電盤ＩＤ１７０１は、家（世帯）を識別する識別子を表す。アプリケーション１１１（図４）は、分電盤ＩＤ１７０１を予め含んでいてもよい。情報機器ＩＤ１７０２は、分電盤４１０に対応づけられている情報機器を識別する識別子を表す。情報機器種別１７０３は、情報機器の種別を表す。
【０１６４】
図１７の情報機器リスト１７００では、分電盤ＩＤが「１」の分電盤４１０には、「パーソナルコンピュータ（ＰＣ）」と、「スマートフォン１」と、「スマートフォン２」とが、対応づけられている。
【０１６５】
図１８、図１９は、サーバ３００の蓄積部３０３に保存されている消費電力量情報１８００の構成の一例を概略的に示す図である。消費電力量情報１８００は、分岐回路毎の消費電力量に関する情報を表す。サーバ３００の機器制御部３０２は、電力管理システム４００から送信される消費電力量に基づき、消費電力量情報１８００を生成する。機器制御部３０２は、生成した消費電力量情報１８００を蓄積部３０３に蓄積する。
【０１６６】
図１８、図１９に示されるように、消費電力量情報１８００は、分岐回路ＩＤ１８０１と、日１８０２と、時刻１８０３と、消費電力量１８０４とを含む。分岐回路ＩＤ１８０１は、分岐回路を識別する識別子を表す。図１８に示される消費電力量情報１８００は、分岐回路ＩＤが「１」の分岐回路の消費電力量に関する情報を表し、図１９に示される消費電力量情報１８００は、分岐回路ＩＤが「ｎ」の分岐回路の消費電力量に関する情報を表す。このように、機器制御部３０２は、分岐回路毎に、消費電力量情報１８００を生成する。
【０１６７】
日１８０２は、消費電力量を計測した年月日を表す。時刻１８０３は、消費電力量を算出した時刻を表す。消費電力量１８０４は、時刻１８０３に示される時刻における消費電力量の積算値を表す。図１８、図１９の消費電力量情報１８００では、時刻１８０３は３０分ごとになっているため、消費電力量１８０４は、３０分間の積算値を表す。
【０１６８】
図１８に示される消費電力量情報１８００では、分岐回路ＩＤが「１」の分岐回路に対応づけられている機器の少なくとも１つの電源は、２０１４年１月１６日の０：００から０：３０までの間にオフからオンに切り替えられていることが分かる。
【０１６９】
図１９に示される消費電力量情報１８００では、分岐回路ＩＤが「ｎ」の分岐回路に対応づけられている機器の全ての電源は、２０１４年１月１６日の０：００から１月１６日の０：３０までの間にオンからオフに切り替えられていることが分かる。
【０１７０】
図１８、図１９に示される消費電力量情報１８００では、消費電力量１８０４は、３０分間の消費電力量の積算値を表し、時刻１８０３は、３０分毎となっているが、本開示は、これに限られない。代替的に、消費電力量１８０４は、１分間又は５分間の消費電力量の積算値を表し、時刻１８０３は、１分毎又は５分毎としてもよい。さらに代替的に、消費電力量１８０４は、消費電力の瞬時値を表し、時刻１８０３は、１分毎又は５分毎としてもよい。
【０１７１】
図２０は、サーバ３００の蓄積部３０３に保存されている機器状態情報２０００の構成の一例を概略的に示す図である。機器状態情報２０００は、分岐回路毎の機器の動作状態に関する情報を表す。サーバ３００の機器制御部３０２は、消費電力量情報１８００に基づき、機器状態情報２０００を生成する。機器制御部３０２は、生成した機器状態情報２０００を蓄積部３０３に保存する。
【０１７２】
サーバ３００の通信制御部３０４は、機器制御部３０２により生成された機器状態情報２０００を情報機器１００に送信してもよい。情報機器１００の通信制御部１０５は、受信した機器状態情報２０００を蓄積部１０４に保存してもよい。
【０１７３】
図２０に示されるように、機器状態情報２０００は、分岐回路ＩＤ２００１と、動作状態２００２とを含む。分岐回路ＩＤ２００１は、分岐回路を識別する識別子を表す。動作状態２００２は、分岐回路ＩＤ２００１により表される分岐回路に対応づけられている機器２００の動作状態を表す。動作状態２００２は、分岐回路ＩＤ２００１により表される分岐回路に対応づけられている全ての機器２００が動作していないときに、「ＯＦＦ」とされる。動作状態２００２は、分岐回路ＩＤ２００１により表される分岐回路に対応づけられている機器２００のうち少なくとも１つが動作しているときは、「ＯＮ」とされる。
【０１７４】
図２０の機器状態情報２０００では、分岐回路ＩＤが「１」の分岐回路（図１５から分岐回路名称が「エアコン」の分岐回路）の動作状態が「ＯＦＦ」とされている。したがって、図２０の機器状態情報２０００は、エアコン２０１が動作していないことを示す。
【０１７５】
また、分岐回路ＩＤが「２」の分岐回路（図１５から分岐回路名称が「リビング」の分岐回路）の動作状態が「ＯＮ」とされている。したがって、図２０の機器状態情報２０００は、レコーダ２０６及びテレビ２０７の少なくとも一方が動作していることを示す。また、分岐回路ＩＤが「３」の分岐回路（図１５から分岐回路名称が「キッチン」の分岐回路）の動作状態が「ＯＮ」とされている。したがって、図２０の機器状態情報２０００は、冷蔵庫２０３、炊飯器２０４、電子レンジ２０５の少なくとも１つが動作していることを示す。
【０１７６】
図２１は、情報機器１００の蓄積部１０４に保存されている表示制御情報２１００の構成の一例を概略的に示す図である。表示制御情報２１００は、基本画面を情報機器１００のディスプレイ１０１に表示する際の消費電力量表示のＧＵＩに関する情報を表す。表示制御部１０３は、表示制御情報２１００を用いて、基本画面１０００（図１０）等の表示制御を行う。
【０１７７】
表示制御情報２１００は、予め作成されている。情報機器１００の蓄積部１０４には、予め作成された表示制御情報２１００が予め保存されている。サーバ３００の蓄積部３０３にも、表示制御情報２１００を予め保存させておいてもよい。なお、アプリケーション１１１（図４）は、予め作成された表示制御情報２１００を含んでいてもよい。
【０１７８】
図２１に示されるように、表示制御情報２１００は、動作状態２１０１、動き情報２１０２、色情報２１０３、大きさ係数２１０４を含む。表示制御情報２１００では、動作状態２１０１として、「ＯＮ」と「ＯＦＦ」とが設定されている。そして、動作状態２１０１の「ＯＮ」と「ＯＦＦ」とに対応して、それぞれ、動き情報２１０２、色情報２１０３、大きさ係数２１０４が予め決められている。
【０１７９】
動作状態２１０１は、図２０に示される機器状態情報２０００の動作状態２００２と同じである。すなわち、分岐回路に対応づけられている全ての機器２００が動作していないときに、動作状態２１０１は「ＯＦＦ」とされる。また、分岐回路に対応づけられている機器２００のうち少なくとも１つが動作しているときに、動作状態２１０１は「ＯＮ」とされる。
【０１８０】
図２１に示される表示制御情報２１００では、動作状態２１０１の「ＯＮ」に対応して、動き情報２１０２は「動く」に設定され、動作状態２１０１の「ＯＦＦ」に対応して、動き情報２１０２は「停止」に設定されている。この表示制御情報２１００の動き情報２１０２を用いて、表示制御部１０３は、図１０に示される基本画面１０００をディスプレイ１０１に表示する。
【０１８１】
また、図２１に示される表示制御情報２１００では、動作状態２１０１の「ＯＮ」に対応して、色情報２１０３は「緑」に設定され、動作状態２１０１の「ＯＦＦ」に対応して、色情報２１０３は「グレー」に設定されている。この表示制御情報２１００の色情報２１０３を用いて、表示制御部１０３は、図１１に示される基本画面１１００をディスプレイ１０１に表示する。
【０１８２】
また、図２１に示される表示制御情報２１００では、動作状態２１０１の「ＯＮ」に対応して、大きさ係数２１０４は「２」に設定され、動作状態２１０１の「ＯＦＦ」に対応して、大きさ係数２１０４は設定されていない。この表示制御情報２１００の大きさ係数２１０４を用いて、表示制御部１０３は、図１２に示される基本画面１２００を情報機器１００のディスプレイ１０１に表示する。
【０１８３】
表示制御部１０３は、図１２に示される基本画面１２００をディスプレイ１０１に表示する際に、消費電力量が０でない場合の表示オブジェクト５０１〜５０３の最上層の円の半径［ｍｍ］を、消費電力量［ｋＷｈ］と大きさ係数とを用いて、下記式（１）によって算出している。
半径＝消費電力量×大きさ係数×１／１０    （１）
なお、消費電力量が０、すなわち動作状態２１０１が「ＯＦＦ」の場合には、表示制御部１０３は、表示オブジェクト５０１〜５０３の最上層の円の半径を予め定められた固定値としている。
【０１８４】
次に、図２２〜図２５を参照して、分岐回路に接続されている機器２００を当該分岐回路に対応づける登録操作の処理の流れが説明される。
【０１８５】
図２２は、ホームコントロールシステム全体における、分岐回路に接続されている機器２００を当該分岐回路に対応づける登録操作の処理の流れの一例を概略的に示すシーケンス図である。図２２では、同じ分電盤４１０（図２）に情報機器１００Ａ（例えばスマートフォン）と情報機器１００Ｂ（例えばＰＣ）とが対応づけられている。また、図２２では、機器リスト１６００（図１６）は、サーバ３００と情報機器１００との両方に保存されている。
【０１８６】
情報機器１００Ａにおいて、ユーザは、図１３に示される設定画面１３００を用いて、分岐回路名称が「キッチン」の分岐回路に接続されている機器２００の登録作業を行う（Ｓ２２０１）。設定画面１３００において、ユーザにより保存ボタン１３１１がタップされると、表示制御部１０３は、蓄積部１０４に保存されている機器リスト１６００（図１６）を更新する（Ｓ２２０２）。通信制御部１０５は、更新された機器リスト１６００をサーバ３００に送信する（Ｓ２２０３）。
【０１８７】
表示制御部１０３は、基本画面を生成してディスプレイ１０１に表示する等、ディスプレイ１０１における表示画面を更新する（Ｓ２２０４）。ディスプレイ１０１における表示画面の更新は、例えば、新たに購入された機器２００の登録、消費電力量の更新、機器２００の動作状態の更新等の全ての情報の更新を含む。この点は、後述される他のシーケンス図における表示画面の更新も同様である。
【０１８８】
サーバ３００において、管理部３０１は、情報機器１００Ａから送信された機器リスト１６００を用いて、蓄積部３０３に保存されている機器リスト１６００を更新する（Ｓ２２０５）。管理部３０１は、蓄積部３０３に保存されている情報機器リスト１７００（図１７）から、情報機器１００Ａと同じ分電盤４１０（図２）に対応づけられている情報機器１００Ｂを取得する（Ｓ２２０６）。通信制御部３０４は、更新された機器リスト１６００を情報機器１００Ｂに送信する（Ｓ２２０７）。
【０１８９】
情報機器１００Ｂにおいて、通信制御部１０５は、サーバ３００から送信された機器リスト１６００を用いて、蓄積部１０４に保存されている機器リスト１６００を更新する（Ｓ２２０８）。
【０１９０】
次に、情報機器１００Ａにおいて、ユーザは、図１４に示される設定画面１３００を用いて、分岐回路名称が「リビング」の分岐回路に接続されている機器２００の登録作業を行う（Ｓ２２０９）。設定画面１３００において、ユーザにより保存ボタン１３１１がタップされると、表示制御部１０３は、蓄積部１０４に保存されている機器リスト１６００（図１６）を更新する（Ｓ２２１０）。通信制御部１０５は、更新された機器リスト１６００をサーバ３００に送信する（Ｓ２２１１）。
【０１９１】
表示制御部１０３は、基本画面を生成してディスプレイ１０１に表示する等、ディスプレイ１０１における表示画面を更新する（Ｓ２２１２）。ディスプレイ１０１における表示画面の更新は、上述のように、例えば、新たに購入された機器２００の登録、消費電力量の更新、機器２００の動作状態の更新等の全ての情報の更新を含む。
【０１９２】
サーバ３００において、管理部３０１は、情報機器１００Ａから送信された機器リスト１６００を用いて、蓄積部３０３に保存されている機器リスト１６００を更新する（Ｓ２２１３）。管理部３０１は、蓄積部３０３に保存されている情報機器リスト１７００（図１７）から、情報機器１００Ａと同じ分電盤４１０（図２）に対応づけられている情報機器１００Ｂを取得する（Ｓ２２１４）。通信制御部３０４は、更新された機器リスト１６００を情報機器１００Ｂに送信する（Ｓ２２１５）。
【０１９３】
情報機器１００Ｂにおいて、通信制御部１０５は、サーバ３００から送信された機器リスト１６００を用いて、蓄積部１０４に保存されている機器リスト１６００を更新する（Ｓ２２１６）。
【０１９４】
図２２に示される手順によって、情報機器１００Ａの蓄積部１０４に保存される機器リスト１６００と、サーバ３００の蓄積部３０３に保存される機器リスト１６００と、情報機器１００Ｂの蓄積部１０４に保存される機器リスト１６００とが、互いに同期される。
【０１９５】
図２３は、図２２に示される登録操作の情報機器１００Ａにおける処理の流れの一例を概略的に示すフローチャートである。
【０１９６】
アプリケーション１１１（図４）が初めて使用されたときは、分岐回路リスト１５００（図１５）も機器リスト１６００（図１６）も作成されていない。このため、アプリケーション１１１（図４）がユーザによって初めて起動されたときは、表示制御部１０３は、基本画面５００（図５）ではなくて、初期設定画面（図示省略）をディスプレイ１０１に表示する。
【０１９７】
初期設定画面において、ユーザが、まず、分岐回路リストの作成を指示するための指示ボタンを選択すると、操作部１０２は、その選択を検出する。すると、表示制御部１０３は、分岐回路リストを作成するためのメニュー画面（図示省略）をディスプレイ１０１に表示する。ユーザは、メニュー画面に従って操作して、分岐回路リスト１５００（図１５）を作成する。
【０１９８】
次に、ユーザは、初期設定画面において、機器リストの作成を指示するための指示ボタンを選択すると、操作部１０２は、その選択を検出する。すると、表示制御部１０３は、その指示を受け付けて、分岐回路を選択するための選択リスト画面（例えば図１５の分岐回路リスト１５００を含む表示画面）をディスプレイ１０１に表示する（Ｓ２３０１）。
【０１９９】
選択リスト画面において、ユーザは、機器の登録対象の分岐回路を選択する（Ｓ２３０２）。すると、操作部１０２は、その選択を検出し、その検出結果に応じて、表示制御部１０３は、機器リストを登録する対象の分岐回路の設定画面１３００（図１３、図１４）をディスプレイ１０１に表示する。
【０２００】
設定画面１３００において、ユーザは、オフになっている登録ボタン１３５１を選択すると、操作部１０２は、その選択を検知する（Ｓ２３０３）。すると、その検出結果に応じて、表示制御部１０３は、設定画面１３００の登録ボタン１３５１の表示をオフ状態からオン状態に更新する（Ｓ２３０４）。
【０２０１】
次に、操作部１０２は、設定画面１３００の保存ボタン１３１１に対する操作の有無に基づき、機器リスト１６００が蓄積部１０４に保存されたか否かを判断する（Ｓ２３０５）。保存ボタン１３１１がユーザによってタップされなければ、操作部１０２は、機器リスト１６００が蓄積部１０４に保存されたと判断せずに（Ｓ２３０５でＮＯ）、処理がＳ２３０３に戻されて、Ｓ２３０３〜Ｓ２３０５の処理が繰り返される。
【０２０２】
一方、保存ボタン１３１１がユーザによってタップされると、操作部１０２は、機器リスト１６００が蓄積部１０４に保存されたと判断して（Ｓ２３０５でＹＥＳ）、通信制御部１０５は、情報機器１００Ａがネットワークに接続中であるか否かを判断する（Ｓ２３０６）。情報機器１００Ａがネットワークに接続中であれば（Ｓ２３０６でＹＥＳ）、処理がＳ２３０８に進められる。一方、情報機器１００Ａがネットワークに接続中でなければ（Ｓ２３０６でＮＯ）、情報機器１００Ａがネットワークに接続されて（Ｓ２３０７）、処理がＳ２３０８に進められる。
【０２０３】
Ｓ２３０８において、通信制御部１０５は、更新された設定対象の分岐回路の機器リスト１６００を含む送信データをサーバ３００に送信する。なお、この送信データは、例えばヘッダに情報機器１００Ａが属する分電盤ＩＤ（図１７）に関する情報を含む。
【０２０４】
Ｓ２３０５でＹＥＳになると、表示制御部１０３は、ディスプレイ１０１の表示画面を設定画面１３００から選択リスト画面に切り替える。
【０２０５】
ユーザは、他に登録したい分岐回路があれば（Ｓ２３０９でＹＥＳ）、選択リスト画面で分岐回路を選択し（Ｓ２３０２）、上記処理を繰り返す。ユーザは、他に登録したい分岐回路が無ければ（Ｓ２３０９でＮＯ）、例えば選択リスト画面の終了ボタンをタップすると、図２３の処理は終了する。
【０２０６】
図２４は、図２２に示される登録操作のサーバ３００における処理の流れの一例を概略的に示すフローチャートである。
【０２０７】
まず、通信制御部３０４は、情報機器１００Ａにより送信された機器リスト１６００を含む送信データを受信する（Ｓ２４０１）。管理部３０１は、受信された送信データに含まれる分電盤ＩＤ及び機器リスト１６００に含まれる分岐回路ＩＤから、蓄積部３０３に保存されている機器リスト１６００を検索し、検索された機器リスト１６００を受信された機器リスト１６００で更新して保存する（Ｓ２４０２）。
【０２０８】
管理部３０１は、蓄積部３０３に保存されている情報機器リスト１７００から、受信された送信データに含まれる分電盤ＩＤに属する他の情報機器が存在するか否かを判断する（Ｓ２４０３）。分電盤ＩＤに属する他の情報機器が存在しなければ（Ｓ２４０３でＮＯ）、図２４の処理は終了する。
【０２０９】
分電盤ＩＤに属する他の情報機器が存在すれば（Ｓ２４０３でＹＥＳ）、通信制御部３０４は、情報機器１００Ａにより送信された機器リスト１６００を当該情報機器に送信して（Ｓ２４０４）、図２４の処理は終了する。この実施形態では、情報機器１００Ａと同じ分電盤ＩＤに属する情報機器１００Ｂが存在する。このため、通信制御部３０４は、Ｓ２４０４において、機器リスト１６００を情報機器１００Ｂに送信する。
【０２１０】
図２５は、図２２に示される登録操作の情報機器１００Ｂにおける処理の流れの一例を概略的に示すフローチャートである。
【０２１１】
まず、通信制御部１０５は、サーバ３００により送信された機器リスト１６００を受信する（Ｓ２５０１）。通信制御部１０５は、受信された機器リスト１６００に含まれる分岐回路ＩＤから、蓄積部１０４に保存されている機器リスト１６００を検索し、検索された機器リスト１６００を受信された機器リスト１６００で更新して保存して（Ｓ２５０２）、図２５の処理は終了する。
【０２１２】
次に、図２６〜図２８を参照して、情報機器１００のディスプレイ１０１に消費電力量を表示する処理の流れが説明される。
【０２１３】
図２６は、ホームコントロールシステム全体における、情報機器１００のディスプレイ１０１に消費電力量を表示する処理の流れの一例を概略的に示すシーケンス図である。
【０２１４】
計測装置４２０の消費電力量計測回路４２１（図２）は、分電盤４１０の分岐回路毎に消費電力量を計測する（Ｓ２６０１）。計測装置４２０の通信制御回路４２２（図２）は、消費電力量計測回路４２１により計測された消費電力量を管理装置４３０に送信する（Ｓ２６０２）。管理装置４３０の通信制御部４３４は、計測装置４２０から送信された消費電力量をサーバ３００に送信する（Ｓ２６０３）。サーバ３００の管理部３０１は、サーバ３００から送信された消費電力量を蓄積部３０３に保存する（Ｓ２６０４）。
【０２１５】
Ｓ２６０１〜Ｓ２６０４は、例えば一定間隔で定期的に実行されてもよい。また、Ｓ２６０１〜Ｓ２６０４は、Ｓ２６１１以降の処理と非同期で実行されてもよい。
【０２１６】
図２６では、Ｓ２６０１〜Ｓ２６０４は、同一頻度で実行されているが、同一頻度でなくてもよい。代替的に、例えば、計測装置４２０の消費電力量計測回路４２１は、消費電力量を１分ごとに計測し（Ｓ２６０１）、計測装置４２０の通信制御回路４２２は、計測された消費電力量を積算し、積算値を３０分ごとに送信（Ｓ２６０２）してもよい。
【０２１７】
さらに代替的に、例えば、計測装置４２０の消費電力量計測回路４２１は、消費電力量を１分ごとに計測し（Ｓ２６０１）、計測装置４２０の通信制御回路４２２は、計測された消費電力量を１分ごとに送信し（Ｓ２６０２）、管理装置４３０の機器制御部４３２は、受信された消費電力量を積算し、管理装置４３０の通信制御部４３４は、積算値を３０分ごとに送信（Ｓ２６０３）してもよい。
【０２１８】
情報機器１００において、表示制御部１０３は、例えばアプリケーション１１１の起動により、基本画面５００（図５）の表示要求を受け付ける（Ｓ２６１１）。通信制御部１０５は、表示対象の分岐回路の消費電力量をサーバ３００に要求する（Ｓ２６１２）。
【０２１９】
Ｓ２６１２では、通信制御部１０５は、ディスプレイ１０１の表示面積を考慮して、表示優先順位１５０３（図１５）が「１」、「２」、「３」である分岐回路ＩＤ１５０１が「２」、「３」、「１」の３つの分岐回路の消費電力量を要求してもよい。あるいは、Ｓ２６１２では、通信制御部１０５は、ディスプレイ１０１上でスクロール操作が行われることを考慮して、全ての分岐回路の消費電力量を要求してもよい。
【０２２０】
サーバ３００において、通信制御部３０４は、要求された分岐回路の消費電力量を蓄積部３０３から抽出し、抽出した分岐回路の消費電力量（状態情報の一例）を情報機器１００に送信する（Ｓ２６１３）。この場合において、通信制御部３０４は、要求を受信した時点の直前の一定時間（例えば１時間又は２４時間等）の積算値を算出し、算出した積算値を情報機器１００に送信してもよい。
【０２２１】
情報機器１００において、ユーザによりタップ操作が行われる（Ｓ２６１４）。操作部１０２は、ユーザにより行われたタップ操作を検出する（Ｓ２６１５）。操作部１０２は、検出したタップ操作の位置を算出する（Ｓ２６１６）。操作部１０２は、算出されたタップ操作の位置に基づき、例えば重なっている表示オブジェクトを分離する操作であると判断し（Ｓ２６１７）、かつ、タップされた分岐回路を検出する（Ｓ２６１８）。
【０２２２】
操作部１０２から表示制御部１０３にディスプレイ１０１の表示画面の更新が要求される（Ｓ２６１９）。表示制御部１０３は、Ｓ２６１８で検出された分岐回路に登録されている機器リスト１６００（図１６）を参照する（Ｓ２６２０）。
【０２２３】
表示制御部１０３は、例えば表示オブジェクトを分離した分離画面６００（図６）を作成する（Ｓ２６２１）。表示制御部１０３は、作成した分離画面６００によりディスプレイ１０１の表示画面を更新する（Ｓ２６２２）。
【０２２４】
図２７は、情報機器１００における、ディスプレイ１０１に消費電力量を表示する処理の流れの一例を概略的に示すフローチャートである。
【０２２５】
通信制御部１０５は、サーバ３００から送信された表示対象の分岐回路の消費電力量を受信する（Ｓ２７０１）。表示制御部１０３は、受信された表示対象の分岐回路の消費電力量をディスプレイ１０１に表示する（Ｓ２７０２）。ここで、図６に示されるように、表示オブジェクト５０１が重なって表示されている場合には、消費電力量も重ねて表示され、表示オブジェクト５２１〜５２４が分離して表示されている場合には、消費電力量は表示オブジェクト５２１〜５２４の直ぐ横に表示される。
【０２２６】
次に、基本画面５００（図５）又は分離画面６００（図６）において、操作部１０２は、ユーザがタップ操作を行ったか否かを検出する（Ｓ２７０３）。ユーザがタップ操作を行わなければ（Ｓ２７０３でＮＯ）、そのまま待機する。一方、ユーザがタップ操作を行うと（Ｓ２７０３でＹＥＳ）、操作部１０２は、タップ位置に分岐回路の表示オブジェクトが存在するか否かを判断する（Ｓ２７０４）。
【０２２７】
タップ位置に分岐回路の表示オブジェクトが存在すれば（Ｓ２７０４でＹＥＳ）、表示制御部１０３は、タップ位置の分岐回路の表示オブジェクトが重なっているか否かを判断する（Ｓ２７０５）。
【０２２８】
タップ位置の分岐回路の表示オブジェクトが重なっていれば（Ｓ２７０５でＹＥＳ、図７の左上図）、表示制御部１０３は、操作部１０２により検出されたタップ操作は、分岐回路の表示オブジェクトを分離する操作と判断する（Ｓ２７０６）。表示制御部１０３は、タップ位置の分岐回路に対応する機器リスト１６００（図１６）を参照する（Ｓ２７０７）。
【０２２９】
表示制御部１０３は、タップ位置の分岐回路の表示オブジェクトを分離し、分離された表示オブジェクトに重ねて分岐回路に登録されている機器を表示する（Ｓ２７０８）。この場合において、表示制御部１０３は、図６に示されるように、機器名称５３１のみを表示してもよい。あるいは、表示制御部１０３は、図７の右上図に示されるように、機器名称５３１及び機器アイコン５３２の両方を表示してもよい。
【０２３０】
Ｓ２７０５において、タップ位置の分岐回路の表示オブジェクトが分離していれば（Ｓ２７０５でＮＯ、図７の右下図の（ｉｉ））、表示制御部１０３は、操作部１０２により検出されたタップ操作は、分岐回路の表示オブジェクトを重ねる操作と判断する（Ｓ２７０９）。表示制御部１０３は、タップ位置の分岐回路の表示オブジェクトを重ねて（Ｓ２７１０、図７の左下図）、図２７の処理は終了する。
【０２３１】
Ｓ２７０４において、タップ位置に分岐回路の表示オブジェクトが存在しなければ（Ｓ２７０４でＮＯ）、表示制御部１０３は、分離している分岐回路の表示オブジェクトが存在するか否かを判断する（Ｓ２７１１）。分離している分岐回路の表示オブジェクトが存在しなければ（Ｓ２７１１でＮＯ）、図２７の処理は終了する。
【０２３２】
一方、分離している分岐回路の表示オブジェクトが存在すれば（Ｓ２７１１でＹＥＳ、図７の右下図）、表示制御部１０３は、分離している分岐回路の表示オブジェクトを重ねて（Ｓ２７１２、図７の左下図）、図２７の処理は終了する。
【０２３３】
図２８は、サーバ３００における、情報機器１００のディスプレイ１０１に消費電力量を表示する処理の流れの一例を概略的に示すフローチャートである。
【０２３４】
通信制御部３０４は、情報機器１００から送信された表示対象の分岐回路の消費電力量の要求を受信する（Ｓ２８０１）。この要求を表す送信データの例えばヘッダは、送信元の情報機器１００が対応づけられている分電盤４１０を識別する分電盤ＩＤを含む。
【０２３５】
管理部３０１は、要求に含まれる分電盤ＩＤを蓄積部３０３内で検索する（Ｓ２８０２）。通信制御部３０４は、検索された分電盤ＩＤに対応する表示対象の分岐回路の消費電力量を抽出し、抽出した消費電力量を情報機器１００に送信して（Ｓ２８０３）、図２８の処理は終了する。
【産業上の利用可能性】
【０２３６】
本開示は、ユーザに消費電力量を好適に表示する制御方法、プログラムおよび情報機器として有用である。
【符号の説明】
【０２３７】
１００  情報機器
１０１  ディスプレイ
２００  機器
３００  サーバ
４００  電力管理システム
４１０  分電盤
４２０  計測装置
４４１〜４４５  分岐回路
５０１〜５０３，５２１〜５２４，５４１〜５４４  表示オブジェクト
５１２  消費電力量表示
５３１  機器名称
５３２  機器アイコン
１１０１  緑色
１１０２  灰色
１８００  消費電力量情報
【要約】      （修正有）【課題】一つのリモートコントローラを用いて一以上の対象機器を遠隔監視する改善された技術を提供する。【解決手段】ディスプレイを有する情報機器１００のコンピュータに対し、ネットワークを介して電力管理システム４００から分岐回路４４１〜４４５単位で消費電力量を示す状態情報を取得させ、第１の分岐回路に対応づけられた２以上の対象機器（２０１〜２０９）各々に対応する２以上の表示オブジェクトを重ねた状態でディスプレイに表示させつつ、重ねられた２以上の表示オブジェクト上に第１の分岐回路に対応する消費電力量を示す電力表示を重ねて表示させ、重ねられた２以上の表示オブジェクトにおいて表示オブジェクトを分離する操作が検知された場合、表示オブジェクトを分離して表示させ、分離された表示オブジェクトの各々に、第１の分岐回路に対応づけられた２以上の対象機器の各々を表した機器表示を表示させる。【選択図】図２【図１】
0006002799.tif 000002
【図２】
0006002799.tif 000003
【図３】
0006002799.tif 000004
【図４】
0006002799.tif 000005
【図５】
0006002799.tif 000006
【図６】
0006002799.tif 000007
【図７】
0006002799.tif 000008
【図８】
0006002799.tif 000009
【図９】
0006002799.tif 000010
【図１０】
0006002799.tif 000011
【図１１】
0006002799.tif 000012
【図１２】
0006002799.tif 000013
【図１３】
0006002799.tif 000014
【図１４】
0006002799.tif 000015
【図１５】
0006002799.tif 000016
【図１６】
0006002799.tif 000017
【図１７】
0006002799.tif 000018
【図１８】
0006002799.tif 000019
【図１９】
0006002799.tif 000020
【図２０】
0006002799.tif 000021
【図２１】
0006002799.tif 000022
【図２２】
0006002799.tif 000023
【図２３】
0006002799.tif 000024
【図２４】
0006002799.tif 000025
【図２５】
0006002799.tif 000026
【図２６】
0006002799.tif 000027
【図２７】
0006002799.tif 000028
【図２８】
0006002799.tif 000029